(57)【要約】【課題】経路を通過するメダルの検出に際して、異物検出の信頼性を高める。【解決手段】発光部２１６と受光部２２０とが対となった透過型の第１〜第３の光学系を備え、これら三つの光学系のうちの二つ以上の光学系を検出対象物の検出に有効な有効光学系として、メダルＭや発光異物、液晶パネル異物の検出に用いる。この際、有効光学系においては、その光学系に含まれる各発光部での発光を行い、三つの光学系のうちの有効光学系以外の光学系では、発光部での発光を行わない。そして、有効光学系の組み合わせを、第１光学系と第２光学系が有効光学系の第１セットと、第２光学系と第３光学系が有効光学系の第２セットと、第１光学系と第３光学系が有効光学系の第３セットとから、所定のタイミングで設定する。【選択図】図６
2020072845.tif 000002
【特許請求の範囲】
【請求項１】
メダルを用いて遊技する遊技機であって、
投入を受けたメダルを導くメダル経路と、
該メダル経路に沿って配置され、該メダル経路における検出対象物の有無を、前記メダル経路の異なる位置で検出する少なくとも三つ以上の検出器と、
該三つ以上の前記検出器のうち、少なくとも二つの検出器を前記検出対象物の検出に有効な検出器として所定のタイミングで設定する検出器設定部と、
前記有効とされた検出器の検出状況に基づいて、前記検出対象物が真正のメダルであるかを検出する検出部と、
該検出部の検出結果に応じて、前記遊技機の遊技の継続許可と遊技停止を決定する遊技継続決定部とを備える
遊技機。
【請求項２】
請求項１に記載の遊技機であって、
前記検出器設定部は、前記検出対象物の検出に有効な検出器の個数についても設定する
遊技機。
【請求項３】
請求項１または請求項２に記載の遊技機であって、
前記検出器設定部は、前記遊技機への電源投入タイミング、ユーザーによる設定操作部の操作タイミング、所定時間ごとの周期タイミング、前記遊技機における所定の遊技状態への推移タイミングの少なくともいずれかのタイミングを前記所定タイミングとして、前記検出対象物の検出に有効な少なくとも二つの検出器を設定する
遊技機。
【請求項４】
請求項１ないし請求項３いずれかに記載の遊技機であって、
三つ以上の前記検出器は、
光を射出する発光部と受光した光量に応じた受光信号を出力する受光部とを備え、前記メダル経路を通過する前記検出対象物に前記発光部の光を照射して前記受光部から前記受光信号を得る光学系とされ、
前記検出器設定部は、
前記三つ以上の前記光学系のうち、少なくとも二つの光学系を前記検出対象物の検出に有効な光学系として所定のタイミングで設定し、
前記検出部は、
前記有効とされた光学系に含まれる前記受光部からの前記受光信号の出力状況に基づいて、前記検出対象物が真正のメダルであるかを検出する
遊技機。
【請求項５】
請求項４に記載の遊技機であって、
前記光学系ごとの前記発光部は、光学系ごとに異なる色の光を射出し、
前記光学系ごとの前記受光部は、該受光部が属する光学系における前記発光部が射出する色の光を受光する第１受光部と、他の色の光を受光する第２受光部とを有する
遊技機。
【請求項６】
メダルの通過を検出するメダル検出装置であって、
光を射出する発光部と受光した光量に応じた受光信号を出力する受光部とを備え、投入を受けたメダルを導くメダル経路を通過する検出対象物に前記発光部の光を照射して前記受光部から前記受光信号を得る光学系を、前記メダル経路に沿って少なくとも三つ以上備え、
該三つ以上の前記光学系のうち、少なくとも二つの光学系を前記検出対象物の検出に有効な光学系として所定のタイミングで設定する光学系設定部と、
前記有効とされた光学系に含まれる前記受光部からの前記受光信号の出力状況に基づいて、前記検出対象物が真正のメダルであるかを検出する検出部とを備える
メダル検出装置。
【請求項７】
請求項６に記載のメダル検出装置であって、
前記光学系設定部は、前記検出対象物の検出に有効な光学系の個数についても設定する
メダル検出装置。
【請求項８】
請求項６または請求項７に記載のメダル検出装置であって、
前記光学系設定部は、メダル検出装置の組み込み機器への電源投入タイミング、ユーザーによる設定操作部の操作タイミング、所定時間ごとの周期タイミング、前記組み込み機器における所定の機器駆動状況への推移タイミングの少なくともいずれかのタイミングを前記所定タイミングとして、前記検出対象物の検出に有効な少なくとも二つの光学系を設定する
メダル検出装置。
【発明の詳細な説明】
【技術分野】
【０００１】
本発明は、メダル投入を受けて遊技を開始する遊技機、特に遊技機におけるメダル検出に関する。
【背景技術】
【０００２】
メダルを用いた遊技機は、例えばスロットマシンが良く知られており、当該マシンでは、メダル投入を受けて遊技が開始される。遊技開始に際しては、実際にメダルが投入された事の検出のほか、投入されたメダルの真偽判定も要請されている。そして、こうした要請に応えるべく、種々の提案がなされている（例えば、特許文献１）。
【先行技術文献】
【特許文献】
【０００３】
【特許文献１】特開２００５−２６１７７８号公報
【０００４】
この特許文献では、発光部が発した光を検出対象物で反射させ、メダル以外の異物の表面で光が反射した際の反射光の減衰を利用している。そして、メダルとそれ以外の異物とでは、こうした反射光減衰の結果として、メダルがない場合と透明な異物がある場合での受光部での受光レベルに差が出るので、この受光レベル差をメダル検出や真偽判定（異物判定）に用いている。
【０００５】
また、発光部での光の射出を一定周期のパスル信号出力に基づいたパルス状のものとし、光の出射パスルと受光部での受光信号パルスとの同期を取ることで、異物判定の精度向上が図られている。
【０００６】
ところで、自らが光を発して受光部に受光信号を出力させる発光性の異物（発光異物）がメダルに代わって遊技機に投入することも予想される。こうした発光性異物は、パルス状に発光を起こすよう構成し、そのパルス周期も調整されていることがある。そうすると、発光性異物の発光周期が遊技機における発光部の出射を起こすパルス信号の周期と一致すると、発光性異物はメダルを擬制することになり、発光性異物を誤ってメダルと誤判定してしまう危惧がある。この他、透光性・非透光性を切り替え可能な異物、例えば液晶パネル異物が投入されることも予想される。こうした液晶パネル異物は、それまで非透光性であった部位を透光性に切り替えつつ、当該非透光性部位をメダルが通過するように移動させるよう調整されていることがあるので、この非透光性部位の移動により液晶パネル異物はメダルを擬制することになり、液晶パネル異物を誤ってメダルと誤判定してしまう危惧がある。
【発明の概要】
【発明が解決しようとする課題】
【０００７】
本発明は、メダルを用いた遊技機におけるメダル検出に際しての上記問題点を解決するためになされ、異物検出の信頼性の向上を図ることをその目的とする。
【課題を解決するための手段】
【０００８】
かかる課題の少なくとも一部を解決するため、本発明の遊技機では、メダル経路を通過するメダルを検出するに当たり、メダル経路に沿って少なくとも三つ以上の検出器を備え、これら検出器でメダル経路における検出対象物の有無を、前記メダル経路の異なる位置で検出する。そして、前記検出対象物の検出に有効な検出器を、この三つ以上の検出器のうちから、少なくとも二つ設定し、検出対象物の検出に有効とされた検出器の検出状況に基づいて、前記検出対象物が真正のメダルであるかを検出し、その検出結果に応じて、前記遊技機の遊技の継続許可と遊技停止を決定する。
【０００９】
つまり、上記した検出器の設定の都度、検出対象物の検出に有効な検出器（以下、単に有効検出器、とも呼ぶ）の組み合わせが変わるので、メダルの通過を擬制する異物を、こうした有効検出器の組み合わせに対応させて、その組み合わせの有効検出器の出力状況を擬制するものとすることは困難である。よって、真正のメダルＭがメダル経路を通過する際の二つ以上の有効検出器での検出状況と、異物がメダルＭに代わって投入された場合の二つ以上の有効検出器での検出状況とは、ほとんど一致することが無くなる。このため、異物検出の信頼性をより一層高めることができる。
【００１０】
こうした有効検出器の設定は、有効検出器の個数についても設定する他、所定のタイミングで行うようにでき、例えば、前記遊技機への電源投入タイミング、ユーザーによる設定操作部の操作タイミング、所定時間ごとの周期タイミング、前記遊技機における所定の遊技状態（例えば、大当たり入賞）への推移タイミングの少なくともいずれかのタイミングで有効光学系の組み合わせを設定すればよい。こうすれば、有効検出器の組み合わせは設定タイミングの都度に変わるので、異物検出の更なる信頼性向上を図ることができる。
【００１１】
また、本発明の遊技機は、次のような態様とすることもできる。例えば、検出器には、光学式のものや、磁気式等種々のものを採用できるが、光学式検出器は保守が容易等の理由から普及が進んでいるので、本発明で取った態様は、三つ以上の前記検出器として、光を射出する発光部と受光した光量に応じた受光信号を出力する受光部とを備える光学系とし、この光学系にて、前記メダル経路を通過する前記検出対象物に前記発光部の光を照射して前記受光部から前記受光信号を得ることとした。その上で、前記検出対象物の検出に有効な光学系を、この三つ以上の光学系のうちから、少なくとも二つ設定し、検出対象物の検出に有効とされた光学系に含まれる前記受光部からの前記受光信号の出力状況に基づいて、前記検出対象物が真正のメダルであるかを検出し、その検出結果に応じて、前記遊技機の遊技の継続許可と遊技停止を決定する。
【００１２】
つまり、上記した光学系の設定の都度、検出対象物の検出に有効な光学系（以下、単に有効光学系、とも呼ぶ）の組み合わせが変わるので、自らが光を発して受光部に受光信号を出力させる発光異物であれ、非透光性部位を移動させる液晶パネル異物であれ、こうした光学系の組み合わせに対応させて、その組み合わせの光学系の受光部に受光信号を出力させたりすることは困難である。よって、真正のメダルＭがメダル経路を通過する際の二つ以上の有効光学系での受光部での受光信号の出力状態と、発光異物或いは液晶異物がメダルＭに代わって投入された場合の二つ以上の有効光学系での受光部での受光信号の出力状態とは、ほとんど一致することが無くなる。このため、異物検出の信頼性をより一層高めることができる。
【００１３】
また、本発明の遊技機は、次のような態様とすることもできる。例えば、前記光学系ごとの前記発光部を光学系ごとに異なる色の光を射出するものとし、前記光学系ごとの前記受光部は、該受光部が属する光学系における前記発光部が射出する色の光を受光する第１受光部と、他の色の光を受光する第２受光部とを有する。こうすれば、有効光学系の設定の都度に、その設定された有効光学系の発光部が射出する光の色（以下、この色を有効色とも呼ぶ）の組み合わせも変わることになる。また、有効光学系の発光部が射出した有効色以外の色の光が射出されれば、第２受光部によって他の色の光が受光されるが、有効光学系の発光部は、有効色の光しか射出しないので、通常、この第２受光部での受光は起きない。
【００１４】
多くの場合、発光異物は単一の色の光（例えば、白色光）を発するので、この発光異物が有効光学系に有る場合、この有効光学系における第１受光部での光の受光が起きる他、他の色の光を受光する第２受光部でも光の受光が起きる。よって、二つ以上の有効光学系における真正のメダルＭによるそれぞれの有効光学系における第１、第２の受光部での受光状態と、二つ以上の有効光学系における発光異物によるそれぞれの有効光学系における第１、第２の受光部での受光状態とは、第２受光部での受光の有無により顕著に相違する。しかも、二つ以上の有効光学系の組み合わせは一律ではなく、その設定の度に変わることから、発光異物における二つ以上の発光箇所の組み合わせと、二つ以上の有効光学系の組み合わせとが一致することはほとんど無い。
【００１５】
それぞれの有効光学系での発光部からの光の色の光を定めるに当たっては、光学系ごとの発光部の光路に光の３原色であるいわゆるＲＧＢフィルタを設置したり、ＲＧＢの発光源を発光部に備え付け、各発光源の出力を調整することで、発光部からの光の色を設定すればよい。また、有効色の光を受光する第１受光部については、例えばＲＧＢの一つの色のフィルタを備え付け、そのフィルタを通過した光を受光するようにすることができる。第２受光部は、第１受光部と異なる色のフィルタにて、当該フィルタで規定される色の光を受光するようにすることができる。例えば、赤色の光を射出する発光部を有する有効光学系では、赤のフィルタを備えた第１受光部と、青のフィルタを備えた第２受光部を用意する。こうすれば、この有効光学系では、第１受光部での光の受光は起き、第２受光部では光の受光は起きないが、当該有効光学系において発光異物が白色光を発している場合には、第１受光部でも第２受光部でも光の受光は起きるので、高い信頼性で発光異物の検出が可能となる。また、こうした受光状態の相違の他、先に説明したように、有効光学系の組み合わせと発光異物における発光箇所の組み合わせの相違の点からも、発光異物検出の信頼性を高めることができる。
本発明は、既述した遊技機の他、メダル検出装置やメダル経路を通過するメダル検出方法として適用できる。そして、本発明のメダル検出装置と検出方法によっても、異物検出の信頼性を高めることができる。また、光学式の検出器に限らず、磁気式等の他の形式の検出器を用いることもできる。
【図面の簡単な説明】
【００１６】
【図１】スロットマシン１００の概略構成を表す斜視図である。
【図２】スロットマシン１００の内部構造の概略を表す斜視図である。
【図３】メダル識別機構２００の概略構成を示す説明図である。
【図４】メダル検出部２１０の外観を概略的に示す説明図である。
【図５】メダル検出部２１０を破断して示す説明図である。
【図６】発光部・受光部を有する三対の光学系の様子を模式的に示した説明図である。
【図７】スロットマシン１００の電気的な構成の概略を示すブロック図である。
【図８】有効光学系の組み合わせ設定処理の内容を示すフローチャートである。
【図９】メダルＭや異物の検出処理の内容を示すフローチャートである。
【図１０】発光異物検出の様子を模式的に示す説明図である。
【図１１】変形例における光学系の構成を概略的に示す説明図である。
【発明を実施するための形態】
【００１７】
以下、本発明の実施の形態について、実施例に基づき説明する。本実施例では、メダル検出が不可欠な遊技機の一例であるスロットマシン１００について説明する。図１はスロットマシン１００の概略構成を表す斜視図、図２はスロットマシン１００の内部構造の概略を表す斜視図である。
【００１８】
図示するように、スロットマシン１００は、中空の箱状をなす本体１０２に対して前面扉１０３を開閉自在に備え、正面視略矩形状とされている。本体１０２は、スロットマシン１００の骨格をなす部材であり、スロット遊技に必要な種々の機器を収納するが、本発明の要旨とは直接関係しないので、概略的な詳細に止めることとする。
【００１９】
図２に示すように、本体１０２は、その内部上段に、各種の図柄等が表示され三つの回胴１１１を回転可能に備え、内部下段には、ホッパ装置１１２や電源ボックス１１３を備える。ホッパ装置１１２は、メダルを貯留する補助タンク１１２ａ内のメダルを前面扉１０３の側のメダル払出口１１４へ払い出す。電源ボックス１１３は、スロットマシン１００の遊技を制御する制御装置１２０を始めとする種々の機器に電源を供給する。
【００２０】
前面扉１０３は、その前面に、それぞれの回胴１１１を臨ませる窓１０３ａを備える他、遊技者に操作されるボタン群やライン表示灯、メダル投入口１０４、メダル払出口１１４からのメダルを受け取るメダル受皿１１５等を有する。また、前面扉１０３は、その背面側に、既述した制御装置１２０の他、扉ロック用のキーシリンダ１１８や、メダル識別機構２００、メダル補給経路１１６、メダル排出経路１１７等を有する。メダル識別機構２００は、メダル投入口１０４から投入されたメダルをメダル補給経路１１６とメダル排出経路１１７に振り分ける機能も果たす。つまり、メダル識別機構２００は、使用できるメダルと否であるメダルとをメダル直径に応じて選別する周知の振分機構を有し、メダル投入口１０４から投入されたメダルがスロットマシン１００に不適合のメダルであった場合には、このメダル識別機構２００にて選別され、その下方に位置するメダル排出経路１１７へ排出される。
【００２１】
一方、メダル投入口１０４から投入されたメダルがスロットマシン１００に適合するメダルであった場合には、このメダル識別機構２００にて選別されたメダルは、メダル補給経路１１６へと排出される。このメダル補給経路１１６は、前面扉１０３から奥方（本体１０２の背面側）にむかって延出されており、前面扉１０３が閉状態となると、補助タンク１１２ａの上方にその先端部が位置するように構成されている。これにより、本スロットマシン１００に適合するメダルは、メダル識別機構２００とメダル補給経路１１６とにより導かれて、補助タンク１１２ａに補給され当該タンクにて貯留される。
【００２２】
また、メダル識別機構２００は、メダル投入口１０４から投入されたメダルの真偽判別や計数に必要なセンサ信号を取得し、当該信号を制御装置１２０に送信する。制御装置１２０は、メダル識別機構２００からのセンサ信号に基づいてメダルの真偽判別や計数を行う。こうしたセンサ信号収得については、メダル識別機構２００の構成と共に後述する。
【００２３】
ここで、スロットマシン１００による遊技の様子について簡単に説明する。遊技者が前面扉１０３のメダル投入口１０４にメダルを投入すると、当該メダルは、メダル投入口１０４からメダル識別機構２００にメダルを導く後述のメダル経路を通過し、メダル識別機構２００に達する。メダル識別機構２００は、メダル経路を通過するメダルが既述した適正のものであれば、メダルをホッパ装置１１２に振り分けて送り込み、適正でなければ、メダルをメダル排出経路１１７を経て外部に排出する。この振り分けと共に、メダル識別機構２００は、後述するようなセンサ信号を制御装置１２０に出力するので、制御装置１２０にてメダル真偽が判定され、真正のメダルであれば、遊技が開始できる状態となる。真正なメダルでなければ、制御装置１２０は、その旨を前面扉１０３の表示灯等で報知する。
【００２４】
遊技開始ができる状態となれば、遊技者は、前面扉１０３のスタートレバー１０５を操作する。そうすると、制御装置１２０は、回胴１１１をそれぞれ回転させるので、遊技者は、回胴１１１に対応したストップボタン１０６を押圧する。その押圧を受けて、制御装置１２０は回胴１１１をそれぞれ停止させる。そして、停止した三つの回胴１１１の縦横斜めの図柄の一致状況に基づいて景品メダルをメダル受皿１１５に排出する。
【００２５】
次に、メダル識別機構２００について説明する。図３はメダル識別機構２００の概略構成を示す説明図である。図示するように、メダル識別機構２００は、投入を受けたメダルＭを導くメダル経路２０２を有する。このメダル経路２０２は、メダルが１列で通過するよう形成されており、前面扉１０３のメダル投入口１０４からメダル補給経路１１６（図２参照）を経てメダルＭを受け取り、下流に通過させる。メダル経路２０２は、装置上方から図において装置右方に湾曲した軌道を有する主経路２０３と、装置上方から真っ直ぐ下方に延びる軌道の排出経路２０４とを分岐して備える。主経路２０３は、上記の湾曲軌道に沿ってメダルＭを通過させ、当該メダルを既述した図２のメダル補給経路１１６に送り出す。排出経路２０４は、主経路２０３の経路分岐箇所に設置された通路切替片２０５の駆動による経路切替により、メダルＭをメダル排出経路１１７に送り出す。通路切替片２０５は、図示しないソレノイドによりメダル経路２０２の経路内に突出し、これにより経路を切り替える。なお、ソレノイド駆動を伴うこうした経路切替は、直径に基づく既述したメダル振り分けの結果に応じて行われる他、メダル詰まり時の遊技者による返却スイッチ操作によっても行われる。また、上記した各メダル経路は、メダル設置箇所が凸条とされており、メダルＭは凸条の頂上に接しつつ転がるように搬送される。
【００２６】
メダル識別機構２００は、主経路２０３の経路途中に、メダル検出部２１０を有する。図４はメダル検出部２１０の外観を概略的に示す説明図、図５はメダル検出部２１０を破断して示す説明図である。これら図面に示すように、メダル検出部２１０はボディ２１２を備え、メダル識別機構２００の筐体にネジ止め固定される。メダル検出部２１０は、主経路２０３を通過するメダルＭの手前側（図３の紙面での手前側）にボディ２１２から突出した光路形成体２１４を備え、当該形成体基部に、発光ダイオードからなる３個の発光部２１６ａ〜２１６ｃを有する。
【００２７】
発光部２１６ａ〜２１６ｃのそれぞれから射出された光（射出光）は、各発光部の前方側の小径の貫通孔２１７を光路として進み、光路形成体２１４先端の反射面２１８にて反射する。反射面２１８は、図示するように傾斜して形成されていることから、反射面２１８での反射光は、図中に符号Ａで示す軌跡を光軸として斜めにボディ２１２の側に進む。つまり、メダル検出部２１０は、主経路２０３を通過するメダルＭに対して、メダル表面と斜めに交差する方向から光を射出する。
【００２８】
メダル検出部２１０は、ボディ２１２にフォトセンサからなる受光部２２０ａ〜２２０ｃを備え、これら受光部は上記の発光部に対応して配置されている。反射面２１８が光路形成体２１４の先端側に位置し、受光部２２０ａ〜２２０ｃがボディ２１２の側に位置し、メダルＭは光路形成体２１４と受光部２２０ａ〜２２０ｃとの間に位置するという位置関係から、受光部２２０ａ〜２２０ｃのそれぞれは、主経路２０３を通過するメダルＭに対して斜めに交差する方向から光を受光して、その受光光量に応じた受光信号を出力する。発光部２１６ａ〜２１６ｃと受光部２２０ａ〜２２０ｃのこうした位置関係から、この発光部２１６ａ〜２１６ｃと受光部２２０ａ〜２２０ｃは、主経路２０３を通過するメダルＭに光を射出して検出する光透過型の検出部を構成し、この検出部は、発光部２１６ａ〜２１６ｃから射出されて受光部２２０ａ〜２２０ｃに受光される光の光軸を、メダルＭに対して傾斜させていることになる。
【００２９】
メダル検出部２１０は、上記した発光部２１６ａ〜２１６ｃと反射面２１８および受光部２２０ａ〜２２０ｃを対として光学系を構成し、この光学系をボディ２１２に三対組み込んで備える。図６は発光部・受光部を有する三対の光学系の様子を模式的に示した説明図である。なお、以下の説明に際しては、三対の上記の光学系を区別するため、それぞれの光学系の発光部と受光部とを、第１発光部２１６ａ、第２発光部２１６ｂ、第３発光部２１６ｃ、第１受光部２２０ａ、第２受光部２２０ｂ、第３受光部２２０ｃと呼ぶ。
【００３０】
図６に模式的に示されているように、第１発光部２１６ａと第１受光部２２０ａを有する光学系（第１光学系）と、第２発光部２１６ｂと第２受光部２２０ｂとを有する光学系（第２光学系）と、第３発光部２１６ｃと第３受光部２２０ｃとを有する光学系（第３光学系）とは、所定の間隔、即ち上記の発光部・受光部のメダル検出部２１０への組み込み間隔だけ隔たっている。
【００３１】
本実施例では、三つの光学系のうちの二つ以上の光学系を検出対象物の検出に有効な有効光学系として、メダルＭや発光異物、液晶パネル異物の検出に用いる。この際、有効光学系においては、その光学系に含まれる各発光部での発光を行い、三つの光学系のうちの有効光学系以外の光学系では、発光部での発光を行わないようにした。つまり、受光部２２０ａ〜２２０ｃの出力する三つの受光信号のうち、二つ以上の有効光学系についての受光信号をメダルＭの検出に用いるようにした。こうすることで、後述するように、この有効光学系以外の光学系の受光部からの受光信号を異物検出に利用できる。
【００３２】
本実施例では、第１〜第３の三つの光学系を有することから、設定可能な二つ以上の有効光学系の組み合わせは、第１光学系と第２光学系が有効光学系の第１セットと、第２光学系と第３光学系が有効光学系の第２セットと、第１光学系と第３光学系が有効光学系の第３セットとである。そして、これら組み合わせが後述するように所定のタイミングで設定される。この場合、第１〜第３の総ての光学系を有効光学系に設定する組み合わせ（全光学系セット）も採用できるが、本実施例では、この全光学系セットは採用しなかった。この点については、後述する。なお、有効光学系の組み合わせを増やす場合には、メダル検出部２１０が有する光学系の数を四以上とすればよく、例えば四つの光学系を用いれば、このうち、二つの光学系を有効光学系とした組み合わせが６で、三つの光学系を有効光学系とした組み合わせが４つとなる。
【００３３】
メダルＭが主経路２０３を通過するにつれて、メダルＭは、まず、第１光学系の光軸に掛かり、次いで、第２光学系、第３光学系の順にそれぞれの光軸に掛かる。よって、各光学系にて発光を行う本実施例では、メダルＭの通過により、第１受光部２２０ａ、第２受光部２２０ｂ、第３受光部２２０ｃの順にメダル通過に伴う受光信号が得られる。そして、主経路２０３を通過するメダルＭの経路に沿った光学系の間隔が所定のものであり、主経路２０３におけるメダルＭの通過速度も予め判明していることから、第１〜第３の光学系での受光状況により、主経路２０３におけるメダルＭの通過有無や真偽が判明する。こうした処理については後述する。
【００３４】
ここで、本実施例のスロットマシン１００の電気的な構成について、本発明に関連する構成を中心に説明する。図７はスロットマシン１００の電気的な構成の概略を示すブロック図である。
【００３５】
制御装置１２０は、本装置全般の制御を司る制御部１２１を備える。この制御部１２１は、論理演算を実行するＣＰＵを中心に構成され、遊技プログラム等を記憶したＲＯＭ、データの一時的な記憶を行うＲＡＭ等と協働して、メダル検出、メダル真偽判定、メダル計数、表示機器制御、回胴１１１の回動制御等を行う。制御部１２１は、ＣＰＵの他、メダル数カウンタ等も備え、リセットスイッチ１２２、スタートレバー１０５、第１発光部２１６ａ、第２発光部２１６ｂ、第３発光部２１６ｃ、第１受光部２２０ａ、第２受光部２２０ｂ、第３受光部２２０ｃや、光学系設定スイッチ２２５、各種センサ・スイッチ群１２３、表示機器や回胴、その他の制御対象機器群１２４と接続されて、上記の各発光部の発光制御や各種機器制御を行う。また、制御部１２１は、ＣＰＵやＲＯＭのプログラムと協働して、光学系自動設定部１２５と、検出部１２６と、遊技継続決定部１２７を構成する。
【００３６】
ここで、制御部１２１が行う発光部２１６の発光制御について簡単に説明する。本実施例では、発光部２１６を単純に発光制御するのではなく、各光学系の発光部２１６にパルス状の発光信号を出力して各光学系の発光部２１６からはパルス状に光を射出し、このパルス状の光を主経路２０３を通過するメダルＭに照射する。各光学系の受光部２２０は、パルス状の光を受光し、パルス状に受光信号を出力する。そして、メダルＭの通過に伴うメダルＭによる光の遮光により、受光状態が変わることから、制御部１２１は、メダルＭの通過に伴って受光レベルが推移するパルス状の受光信号を各光学系の受光部２２０から入力する。
【００３７】
光学系自動設定部１２５は、所定のタイミング、例えば、スロットマシン１００への電源投入タイミング、所定時間ごとの周期タイミングで、二つ以上の有効光学系の設定、即ち上記した第１〜第３のセットうちのいずれかの有効光学系の組み合わせを設定する。この周期タイミングとしては、１０時、１１時等の定時タイミングとすることができる他、１５分ごとのタイミングや、遊技者が一回の遊技に通常要する時間（約２〜３分）よりも短い時間ごとのタイミング（例えば、１分ごと、３０秒ごとのタイミング）、遊技状況が大当たりに推移したタイミングを採用できる。これに対し、光学系設定スイッチ２２５は、ホールの係員が手動にて二つ以上の有効光学系の設定をおこなうためのものであり、制御部１２１は、このスイッチ操作をタイミングとして、上記した第１〜第３のセットうちのいずれかの有効光学系の組み合わせを設定する。
【００３８】
検出部１２６は、設定された有効光学系の受光部２２０からの受光信号の出力状況や、有効光学系の発光部２１６に出力したパルス信号と受光部２２０からのパルス状の受光信号の同期の状況等に基づいてメダルＭの真偽判定を行う。遊技継続決定部１２７は、この真偽判定の結果に応じて、スロットマシン１００の遊技の継続許可と遊技停止を決定する。具体的には、メダルＭが真正なメダルであると判定されると、その後のスロットマシン１００の遊技の継続を許可するので、遊技者はスタートレバー１０５やストップボタン１０６の操作を伴う遊技を行うことができる。その一方、検出対象物がメダルＭを擬制した発光異物や液晶パネル異物であるとすれば、遊技を停止するよう、各種機器を制御する。例えば、スタートレバー１０５やストップボタン１０６の操作を無効として遊戯できないようにしたり、種々の表示装置やスピーカー等にて、真正ではないメダルＭが検出されたと報知する。
【００３９】
次に、本実施例のスロットマシン１００の制御装置１２０（詳しくは制御部１２１）が行う処理について、真性のメダル検出、メダルを擬した異物検出の様子や、発光部２１６での発光の様子、受光部２２０での受光の様子を併記しつつ、説明する。図８は有効光学系の組み合わせ設定処理の内容を示すフローチャート、図９はメダルＭや異物の検出処理の内容を示すフローチャートである。
【００４０】
図８に示す設定処理は所定時間ごとに繰り返し実行され、制御部１２１は、まず、設定のタイミングであるか否かを判定する（ステップＳ１００）。つまり、制御部１２１は、上記したように光学系自動設定部１２５にて、今回のこの設定処理において、上記した所定時間ごとの周期タイミングであるとすれば、上記した第１〜第３のセットうちのいずれかの有効光学系の組み合わせを設定（再設定）する（ステップＳ１１０）。一方、上記のタイミングでなければ、何の処理を行うことなく本ルーチンを終了する。
【００４１】
上記した有効光学系の組み合わせ設定の際は、第１〜第３の組み合わせを無作為に、例えば乱数発生装置により発生させた乱数に応じて第１〜第３の組み合わせを選択する手法がある。或いは、第１〜第３の組み合わせを所定の規則に従って切替設定する手法を取ることもできる。
【００４２】
図８の設定処理はスロットマシン１００の稼働中のものであり、スロットマシン１００の電源投入タイミングでは、制御部１２１の光学系自動設定部１２５により、ステップＳ１１０と同様にして、有効光学系の組み合わせが自動設定される。また、ホール係員による光学系設定スイッチ２２５の操作タイミングでは、制御部１２１は、当該スイッチ操作を受けて、ステップＳ１１０と同様にして、有効光学系の組み合わせを設定する。
【００４３】
図９に示す検出処理にあっても所定時間ごとに繰り返し実行され、制御部１２１は、第１〜第３の各光学系の受光部２２０ａ〜２２０ｃからの受光信号を入力、監視する（ステップＳ２００）。次いで、この監視結果から、有効光学系以外の光学系の受光部からの受光信号の有無を判定し（ステップＳ２１０）、有効光学系以外の光学系の受光部からの受光信号が有れば、発光異物を検出したとしてステップＳ２１５に移行し、遊技の停止処理と異物検出報知を行う。遊技の停止処理としては、スタートレバー１０５やストップボタン１０６の操作を無効として遊戯できないようにすること等であり、異物検出報知としては、種々の表示装置やスピーカー等にて、真正ではないメダルＭが検出されたと音声や表示で報知する。
【００４４】
こうした異物検出について、例を挙げ説明する。今、例えば第１セットの組み合わせで第１光学系と第２光学系が有効光学系であるとされ、第３光学系が有効光学系以外の光学系であるとする。この場合は、有効光学系の第１光学系と第２光学系では第１発光部２１６ａと第２発光部２１６ｂが発光して、それぞれの光学系において、第１受光部２２０ａと第２受光部２２０ｂにて受光される。有効光学系以外の第３光学系では、第３発光部２１６ｃは発光しないので、対応する第３受光部２２０ｃは受光信号を発しない、或いは最小レベル（＝ゼロレベル）の受光信号を発する。
【００４５】
図１０は発光異物検出の様子を模式的に示す説明図である。発光異物は、本実施例の光学系が透過型であるので、発光部２１６からの射出光を遮るため、一面を非透光性の部材で構成し、他面、即ち受光部２２０の側の面で発光する。図１０（ａ）に示すように、発光異物が、図中に示す発光箇所ＤＰを一つしか持たない場合は、この発光異物は、発光箇所ＤＰからの発光により、第１〜第３の総ての光学系の受光部２２０ａ〜２２０ｃに光を受光させる。そうすると、有効光学系以外の第３光学系においても、その第３受光部２２０ｃにて受光がなされるが、真正のメダルＭが主経路２０３を第１光学系の側から第３光学系に向けて通過する際には、有効光学系以外の第３光学系では第３発光部２１６ｃは発光していないので第３受光部２２０ｃにて受光されることはない。第２セットや第３セットでの有効光学系の組み合わせについても同様である。つまり、総ての光学系を有効光学系とした組み合わせの全光学系セットを有効光学系の組み合わせとして採用しないことで、図１０（ａ）に示すような発光異物を即座に検出できる。なお、この総ての光学系を有効光学系とした組み合わせの全光学系セットを、上記の第１〜第３セットと同様に、有効光学系の組み合わせの一つとして設定することもできる。この場合は、ステップＳ２１０を省略し、後述のステップＳ２２０やステップＳ２３０にて、発光異物検出を行うようにすればよい。
【００４６】
また、発光異物が、図１０（ｂ）に示すように、仮に各光学系に対応させて三つの発光箇所ＤＰ１〜ＤＰ３を備えて各発光箇所での発光をメダル通過を擬制するよう制御している場合は、この発光異物が発光箇所ＤＰ３で発光すれば、単一の発光箇所ＤＰしか持たない図１０（ａ）の発光異物と同様に第３光学系の第３受光部２２０ｃの受光により、ステップＳ２１０で否定判定され、ステップＳ２１５にて異物検出・報知がなされる。この発光異物が発光箇所ＤＰ１と発光箇所ＤＰ２を発光制御している場合は、後述する。
【００４７】
一方、ステップＳ２１０で有効光学系以外の光学系の受光部からの受光信号が無いと判定すると、現在の有効光学系の設定組み合わせ（例えば、第１セット）における各有効光学系でのメダルＭ通過に伴った受光信号の入力があったかを判定する（ステップＳ２２０）。この判定は次のようにしてなされる。
【００４８】
真正のメダルＭが主経路２０３を通過する場合には、有効光学系のうちの上流側の光学系、第１セットの有効光学系の組み合わせであれば、第１光学系、第２光学系の順に、メダルＭはそれぞれの光学系の光軸に掛かる。よって、有効光学系にて発光を行う本実施例では、第１セットの有効光学系の組み合わせであれば、制御部１２１は、メダルＭの通過により、第１受光部２２０ａ、第２受光部２２０ｂの順にこれら受光部から、メダル通過に伴う受光信号を入力する。
【００４９】
ところで、御装置１２０は、既述したように有効光学系の発光部（第１セットの有効光学系では第１光学系、第２光学系の第１発光部２１６ａ、第２発光部２１６ｂ）を所定周期に従ってパルス状に発光制御するので、各光学系の受光部は、メダル通過がない場合には、発光部のパルスに応じてパルス状の受光信号（ＯＮ信号）を周期的に出力する。その一方、メダルＭが投入されると、メダル通過に伴って第１光学系の第１発光部２１６ａの光が遮られ、次いで第２光学系の第２発光部２１６ｂの光が遮られる。第１光学系と第２光学系との隔たりがメダル径より大きければ、第１光学系の第１受光部２２０ａで第１発光部２１６ａの各パルス状発光の光を受光しない期間が続いた後に、第１発光部２１６ａでは受光（パルス状のＯＮ信号出力）して第２光学系の第２受光部２２０ｂでは第２発光部２１６ｂの各パルス状発光の光を受光しない期間が続き、最後に第２発光部２１６ｂで受光（パルス状のＯＮ信号出力）することになる。
【００５０】
その一方、経路の短縮等のために第１光学系と第２光学系との隔たりがメダル径より小さくなることは多々ある。こうした場合には、メダルＭの通過に伴って第１光学系、第２光学系の順で発光部からのパルス状の光が遮られるものの、両光学系で同時に光が遮られた後、第１光学系、第２光学系の順に再度、発光部からの光が受光部で受光される。よって、各光学系での受光部でのパルス状の受光信号の出力は、メダル通過に伴ってまず最初に第１光学系での第１受光部２２０ａでの未受光（ＯＦＦ信号）の期間があり、次いで、両光学系での未受光（ＯＦＦ信号）の期間、第１光学系での第１受光部２２０ａでは受光（パルス状のＯＮ信号出力）で第２光学系での第２受光部２２０ｂでは未受光（ＯＦＦ信号）の期間、両光学系で受光（パルス状のＯＮ信号出力）の期間が連続することになる。
【００５１】
上記した有効光学系でのメダルＭ通過に伴う受光部２２０の受光状況（パルス状の受光信号出力状況）は、上記の第１、第２の光学系の間隔が所定のものであり、主経路２０３におけるメダルＭの通過速度も予め判明していることから、有効光学系の組み合わせによって定まる。制御部１２１は、ステップＳ２００で監視した有効光学系についての受光信号の入力・監視に基づいて、設定済み組み合わせの有効光学系の受光部２２０からの上記の受光状況が、真正のメダルＭが主経路２０３を通過した場合のものであるかを判定する。
【００５２】
このステップＳ２２０では、真正のメダルＭの投入時には肯定判定され、後述のステップＳ２３０に移行する。ところが、図１０に示した発光異物では、次のようになる。なお、単一の発光箇所ＤＰしか有しない発光異物は、ステップＳ２１０で異物として検出されるため、以下の説明は、複数の発光箇所を有する発光異物について説明する。
【００５３】
ステップＳ２２０は、その前のステップＳ２１０での肯定判定後のものであるため、例えば、第１セットの有効光学系の組み合わせであれば第３光学系の第３受光部２２０ｃの受光が無かったこと、つまり、発光異物は、発光箇所ＤＰ１と発光箇所ＤＰ２を発光制御していることになる。
【００５４】
今、発光異物が発光箇所ＤＰ１と発光箇所ＤＰ２を同時に発光させているとする。そうすると、第１光学系の第１受光部２２０ａと第２光学系の第２受光部２２０ｂからの受光状況は、真正のメダルＭが主経路２０３を通過した場合のものと明らかに相違する。よって、ステップＳ２２０では発光異物検出だとして否定判定され、ステップＳ２１５にて遊技停止と異物検出報知がなされる。
【００５５】
発光異物が発光箇所ＤＰ１と発光箇所ＤＰ２をメダル通過を擬制して発光制御している場合、この発光制御による第１光学系の第１受光部２２０ａと第２光学系の第２受光部２２０ｂからの受光状況が真正のメダルＭの通過に伴う受光状況と一致していないと、ステップＳ２２０では発光異物検出だとして否定判定され、ステップＳ２１５にて遊技停止と異物検出報知がなされる。発光異物における発光箇所ＤＰ１と発光箇所ＤＰ２の発光制御により上記の両受光状況が一致していれば、ステップＳ２２０では肯定判定されるが、この発光異物検出については後述する。
【００５６】
ステップＳ２３０では、設定された有効光学系の受光部２２０からの受光信号の出力状況と、有効光学系の発光部２１６に出力したパルス信号と受光部２２０からのパルス状の受光信号の同期の状況が、メダルＭの通過に伴うものであるか否かを判定する。つまり、既述したように、有効光学系の発光部２１６は、パルス状の発光信号に基づきパルス状に光を射出し、受光部２２０は、当該光学系における光軸に検出対象物が掛かっていなければ、上記の発光信号に同期したパルス状の受光信号を出力し、検出対象物が光軸に掛かることでその受光レベルが最小レベルに推移した受光信号を出力する。
【００５７】
つまり、真正のメダルＭが主経路２０３を通過する場合、メダルＭは、発光部２１６からの射出光が反射面２１８で反射して受光部２２０に到る光軸に掛かる。メダルＭは通常金属製であるために発光部２１６からの射出光（反射面２１８での反射光）を遮る。これにより、受光部２２０では、それまで受光可能であった光を受光しなくなるので、制御装置１２０は、受光なしに対応する受光信号（最小レベル信号＝ゼロレベル信号）を受けることを意味する。メダルＭが主経路２０３を更に通過し光軸から脱すると、受光部２２０は、発光部２１６からの射出光（反射面２１８での反射光）を直接受光し、その受光光量に応じた受光信号を制御装置１２０に出力する。このように、受光信号は、主経路２０３におけるメダルＭの通過により、受光信号が最小レベルから推移（増大推移）する。なお、こうした受光信号レベルの推移は、発光がパルス状であることから、その各パルスの光を受光したパルス状の受光信号のそれぞれで発現する。
【００５８】
制御部１２１は、こうしたメダル通過に伴う受光光量の推移に基づく受光信号（センサ出力）を、有効光学系、例えば第１セットであれば、第１光学系の第１受光部２２０ａと、第２光学系の第２受光部２２０ｂとから入力する。そして、制御部１２１は、こうした信号入力を、現状の有効光学系である第１光学系と第２光学系から順次受けることで、メダルＭの通過を検知してメダル計数を行うと共に、発光信号と受光信号の同期状態およびその受光信号レベル推移が真正のメダルＭのセンサ通過に適ったものであれば、ステップＳ２３０で肯定判定して、既述したように遊技継続を許可し（ステップＳ２４０）、本ルーチンを終了する。
【００５９】
図１０（ｂ）に示す発光異物が発光箇所ＤＰ１と発光箇所ＤＰ２をメダルＭの通過に伴うタイミングでこの発光制御している場合であれば、この発光箇所ＤＰ１と発光箇所ＤＰ２のそれぞれが、真正のメダルＭの通過に伴う有効光学系での発光信号と受光信号との同期状態を再現するよう、且つ、真正のメダルＭの通過に伴う受光信号の信号レベル推移と一致していないと、ステップＳ２３０では発光異物検出として否定判定され、ステップＳ２１５にて遊技停止と異物検出報知がなされる。発光異物における発光箇所ＤＰ１と発光箇所ＤＰ２の発光制御状況が真正のメダルＭの通過に伴う発光信号と受光信号の同期状態と、真正のメダルＭの通過に伴う受光信号の信号レベル推移と一致していれば、ステップＳ２３０では肯定判定されるが、この場合の発光異物検出については後述する。
【００６０】
以上説明したように、上記構成を有する本実施例のスロットマシン１００では、三つの光学系のうちの二つの光学系をメダルＭの検出に用いる有効光学系とし、その組み合わせを所定のタイミングで切替設定する（図８参照）。その上で、設定された有効光学系での受光部２２０の受光信号の出力状態や発光信号と受光信号の同期状況（ステップＳ２１０〜２３０）に応じて、メダルＭの検出並びに発光異物の検出を行い、その結果に応じて遊技継続の許可、遊技停止・異物検出報知を行う。よって、次の利点がある。
【００６１】
まず、図１０（ａ）に示す単一の発光箇所ＤＰを有する発光異物については、有効光学系以外の光学系における受光部２２０の受光信号により、簡便に異物検出が行われる。図１０（ｂ）に示す複数箇所の発光箇所ＤＰ１〜ＤＰ３を有する発光異物については、有効光学系以外の光学系に対応する発光箇所ＤＰ３での発光および当該光学系での受光部２２０の受光信号により、簡便に異物検出が行われる。そして、図１０（ｂ）に示す複数箇所の発光箇所ＤＰ１〜ＤＰ３を有する発光異物でメダルＭの通過を擬制する場合、発光箇所ＤＰ１〜ＤＰ３の発光状況は、メダル検出部２１０が有する光学系での発光部２１６のパルス状の発光と、発光信号と受光信号の同期、受光部２２０での受光信号レベルのそれぞれがメダル検出部２１０の発光部２１６のパルス状発光を模して、外部で調整済みである。そして、こうして調整された発光箇所ＤＰ１〜ＤＰ３の発光状況が、メダル検出部２１０における二つの有効光学系の発光部２１６と一致していれば、複数箇所の発光箇所ＤＰ１〜ＤＰ３を有する発光異物は、主経路２０３のメダル通過を擬制することができる。このことは、発光異物でありながら、ステップＳ２２０やステップＳ２３０で肯定判定されたことに相当する。
【００６２】
しかしながら、本実施例では、既述したように、有効光学系の組み合わせは、所定タイミングでの再設定により、その都度変化するので、このように都度変化する有効光学系の組み合わせに対応させて、その組み合わせの有効光学系の受光部２２０に受光信号を出力させるよう、発光異物の発光箇所ＤＰ１〜ＤＰ３の発光状況を調整することは困難である。よって、真正のメダルＭが主経路２０３を通過する際の二つ以上の有効光学系での受光部２２０での受光信号の出力状態と、発光異物がメダルＭに代わって投入された場合の二つ以上の有効光学系での受光部２２０での受光信号の出力状態とはほとんど一致することが無くなり、ステップＳ２２０やステップＳ２３０では否定判定される。仮に、一旦は有効光学系の組み合わせに対応して発光箇所ＤＰ１〜ＤＰ３の発光状況をメダルＭの通過に伴うものと一致したとしても、有効光学系の組み合わせの再設定により、この一致状況は続くことはなく、その後の遊技期間において、ステップＳ２２０やステップＳ２３０で否定判定される。このため、本実施例のスロットマシン１００によれば、異物検出の信頼性をより一層高めることができ、異物検出の検出結果に応じた遊技機の遊技の継続許可と遊技停止との決定についても信頼性を高めることができる。
【００６３】
そして、本実施例では、有効光学系の設定を、スロットマシン１００への電源投入タイミングとか、定時タイミングとかの有る特定の時間タイミングで行う他、光学系設定スイッチ２２５の操作タイミング、１５分ごとのタイミング、遊技者が一回の遊技に要する時間（約２〜３分）よりも短い時間ごとのタイミング、遊技状況が大当たりに推移したタイミングでも、実行する。よって、いわゆる抜き打ち的な有効光学系設定が可能となるので、発光異物の使用が疑われる都度に有効光学系の設定を変えることができ、異物検出の更なる信頼性向上を図ることができる。
【００６４】
また、本実施例では、有効光学系の組み合わせの再設定に加え、その設定された有効光学系における発光信号と受光信号の同期、受光信号レベルの状況についても、これらをメダルＭの検出に用いるので、信号の同期・信号レベルの一致までが得られるよう、発光箇所ＤＰ１〜ＤＰ３を発光制御することは、さらに困難である。よって、この点からも、異物検出の信頼性をより一層高めることができる。
【００６５】
しかも、有効光学系の発光部２１６にパルス状の発光信号を出力して発光部からパルス状の光の射出を行う場合、図６に模式的に示したように、各光学系の発光部２１６に出力する発光信号に、パルス振幅に差を持たせるようにすることもできる。具体的には、第１光学系から第３光学系の順にパルス振幅を小さくする。こうすれば、各光学系ごとに異なる光量の射出光とできるので、光学系（有効光学系）ごとの受光部２２０での受光信号レベルも相違する。また、発光異物でメダルＭの通過を擬制するには、発光箇所ＤＰ１〜ＤＰ３を発光箇所ごとに異なる光量で発光制御する必要があるが、こうした制御はより困難であるため、異物検出の信頼性はさらに高まる。
【００６６】
更には、上記したように光学系ごとにパスル振幅に差を持たせるに当たり、光学系ごとのパスル振幅にあっても、有効光学系の設定ごとに設定するようにすることもできる。例えば、あるタイミングで第１光学系が有効光学系の一つとして設定している場合には、その発光信号のパスル振幅を小さく設定し、他のタイミングで第１光学系が有効光学系の一つとして設定した場合には、その発光信号のパスル振幅を大きく設定する。こうすれば、有効光学系の設定に併せて発光状態（発光量）をも設定できることから、こうした設定変更に適合した発光箇所の発光制御はより一層困難となり、異物検出の信頼性はより一層高まる。
【００６７】
透光性・非透光性を切り替えて非透光性部位を移動させる液晶パネル異物であっても、非透光性部位の移動状況を、所定タイミングで組み合わせが変化する有効光学系の組み合わせに応じて実行することは困難であることから、発光異物と同様に、液晶パネル異物を高い信頼性で検出できることは勿論である。
【００６８】
次に、変形例について説明する。図１１は変形例における光学系の構成を概略的に示す説明図である。図示するように、この変形例は、光学系ごとに射出する光の色を変えた点と、光学系ごとに当該光学系が発する色の光の受光部と他の色の受光部を有する点に特徴がある。
【００６９】
図示するように、この変形例のスロットマシン１００では、第１光学系は、第１発光部２１６ａの光路に赤色フィルタＲｆにより赤色の光を発する。同様に、第２光学系では、緑色フィルタＧｆにより緑色の色を発し、第３光学系では、青色フィルタＢｆにより青色の光を発する。そして、第１光学系は、赤色のフィルタ２２０Ｒｆと赤色光の受光用の受光部２２０ａＲと、緑色のフィルタ２２０Ｇｆと緑色光の受光用の受光部２２０ａＧとを備え、第２光学系は、緑色のフィルタ２２０Ｇｆと緑色光の受光用の受光部２２０ｂＧと、青色のフィルタ２２０Ｂｆと青色光の受光用の受光部２２０ｂＢとを備え、第３光学系は、青色のフィルタ２２０Ｂｆと青色光の受光用の受光部２２０ｃＢと、赤色のフィルタ２２０Ｒｆと赤色光の受光用の受光部２２０ｃＲとを備える。
【００７０】
そして、この変形例にあっては、第１〜第３の光学系のうちから、二つの有効光学系の組み合わせを上記の実施例と同様にして所定のタイミングで設定するので、有効光学系の組み合わせの設定の都度に、その設定された有効光学系の射出光の色（有効色）の組み合わせも変わることになる。また、有効光学系の射出した有効色以外の他の色の光が射出されれば、例えば、第１光学系において白色や緑色の光が発せられれば、フィルタ２２０Ｇｆにより、第１光学系の受光部２２０ａＧで受光されるが、第１光学系が有効光学系であれば、有効色である赤色の光しか射出しないので、通常、受光部２２０ａＧでの受光は起きない。
【００７１】
上記構成を有する変形例での発光異物検出の様子について説明する。多くの場合、発光異物は、図１０（ａ）（ｂ）に示すような発光箇所の数に拘わらず、それぞれの発光箇所から、単一の色の光（例えば、白色光）を発する。従って、今、第１光学系と第２光学系が有効光学系とされている場合、発光異物がこれら光学系に掛かっていると、第１光学系では、発光異物の発した白色光が、フィルタ２２０Ｒｆとフィルタ２２０Ｇｆにより、赤色の光の受光用の受光部２２０ａＲに加え、緑色の光の受光用の受光部２２０ａＧでも受光される。第２光学系でも同様である。よって、真正のメダルＭによるそれぞれの有効光学系における受光部２２０ａＲと受光部２２０ａＧの受光状態と、発光異物によるこれら受光部での受光状態とは、顕著に相違する。しかも、二つ以上の有効光学系の組み合わせは一律ではなく、その設定の度に変わることから、発光異物における二つ以上の発光箇所ＤＰ１〜ＤＰ３の組み合わせと、二つ以上の有効光学系の組み合わせとが一致することはほとんど無い。この結果、上記構成の変形例にあっても、高い信頼性で発光異物の検出が可能となる。
【００７２】
以上、本発明の実施例について説明したが、本発明は、上記した実施の形態に限られるものではなく、その要旨を逸脱しない範囲において種々の態様にて実施することが可能である。例えば、上記の実施例と変形例では、発光部２１６の射出光ＤＬを反射面２１８にて反射させ、その反射光を射出光ＤＬとしてメダルＭや発光異物、液晶パネル異物と言った検出対象物に照射する透過型の構成としたが、発光部２１６自体を反射面２１８の設置箇所に配設し、発光部２１６の射出光ＤＬを直接検出対象物に照射する透過型とすることもできる。これに限らず、発光部２１６からの出射光をメダルＭや発光異物、液晶パネル異物に照射してこれら表面で反射させ、その反射光を受光部２２０で受光する反射型の構成とすることもできる。
【００７３】
さらに、各光学系での発光部２１６の発光をパルス状とするに当たり、図６にて模式的に示したようにパルス信号の性状としてパルス振幅を光学系ごとに変えるようにできるほか、例えばパルス周期やパルス幅を光学系ごとに変えるようにすることもできる。こうしても、光学系ごとの受光信号の出力状態、本実施例に即して説明すれば、設定された有効光学系ごとの受光信号の出力状態に、発光異物の発光箇所の発光制御や液晶パネル異物における非透光性部位の移動制御を一致させることは困難であり、異物検出の信頼性向上に有益である。
【００７４】
また、図１１に示した変形例では、各光学系ごとの発光部２１６からの出射光をフィルタにて特定の色の光となるようにしたが、ＲＧＢの発光源を光学系ごとの発光部に備え付け、各発光源の出力を調整することで、発光部からの光の色を設定するようにもできる。そして、組み合わされた有効光学系での光の色を、有効光学系の設定と共に変更設定するようにすることもできる。こうすれば、発光異物がそれぞれの発光箇所ＤＰ１〜ＤＰ３での光の色を変更できる構成を取っても、有効光学系の組み合わせ設定と光の色の設定とに適合するよう、各発光箇所の光の色を変更することは困難であり、高い信頼性で発光異物検出を行うことができる。
【００７５】
また、メダルＭを用いて遊戯するスロットマシンを例に挙げ説明したが、本発明は、スロットマシン以外の遊技機であってメダルＭを用いる他の遊技機に加え、メダル検出装置やメダル経路を通過するメダル検出方法としても適用できる。この他、磁石を内蔵した磁気式のセンサ等を利用することもできる。
【００７６】
更に、メダル検出部２１０における光学系を四つ以上の光学系とすることもでき、この場合には、有効光学系を二つの光学系の組み合わせ、三つの光学系の組み合わせのいずれにも設定できる。よって、こうした場合には、有効光学系の個数についても上記したタイミングで設定するようにでき、こうすれば、有効光学系の個数に応じた異物の発光制御等がより困難となり、異物検出の信頼性は高まる。
【符号の説明】
【００７７】
１００…スロットマシン
１０２…本体
１０３…前面扉
１０３ａ…窓
１０４…メダル投入口
１０５…スタートレバー
１０６…ストップボタン
１１１…回胴
１１２…ホッパ装置
１１２ａ…補助タンク
１１３…電源ボックス
１１４…メダル払出口
１１５…メダル受皿
１１６…メダル補給経路
１１７…メダル排出経路
１１８…キーシリンダ
１２０…制御装置
１２１…制御部
１２２…リセットスイッチ
１２３…各種センサ・スイッチ群
１２４…制御対象機器群
１２５…光学系自動設定部
１２６…検出部
１２７…遊技継続決定部
２００…メダル識別機構
２０２…メダル経路
２０３…主経路
２０４…排出経路
２０５…通路切替片
２１０…メダル検出部
２１２…ボディ
２１４…光路形成体
２１６…発光部
２１６ａ…第１発光部
２１６ｂ…第２発光部
２１６ｃ…第３発光部
２１７…貫通孔
２１８…反射面
２２０…受光部
２２０Ｂｆ…フィルタ
２２０Ｇｆ…フィルタ
２２０Ｒｆ…フィルタ
２２０ａ…第１受光部
２２０ａＧ…受光部
２２０ａＲ…受光部
２２０ｂ…第２受光部
２２０ｂＢ…受光部
２２０ｂＧ…受光部
２２０ｃ…第３受光部
２２０ｃＢ…受光部
２２０ｃＲ…受光部
２２５…光学系設定スイッチ
Ｒｆ…赤色フィルタ
Ｇｆ…緑色フィルタ
Ｂｆ…青色フィルタ
ＤＬ…射出光
ＤＰ…発光箇所
ＤＰ１〜ＤＰ３…発光箇所
Ｍ…メダル
【図１】
2020072845.tif 000003
【図２】
2020072845.tif 000004
【図３】
2020072845.tif 000005
【図４】
2020072845.tif 000006
【図５】
2020072845.tif 000007
【図６】
2020072845.tif 000008
【図７】
2020072845.tif 000009
【図８】
2020072845.tif 000010
【図９】
2020072845.tif 000011
【図１０】
2020072845.tif 000012
【図１１】
2020072845.tif 000013
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
メダルを用いて遊技する遊技機であって、
投入を受けたメダルを導くメダル経路と、
該メダル経路に沿って配置され、該メダル経路における検出対象物の有無を、前記メダル経路の異なる位置で検出する少なくとも三つ以上の検出器と、
該三つ以上の前記検出器のうち、少なくとも二つの検出器を前記検出対象物の検出に有効な検出器として所定のタイミングで設定する検出器設定部と、
前記有効とされた検出器の検出状況に基づいて、前記検出対象物が真正のメダルであるかを検出する検出部と、
該検出部の検出結果に応じて、前記遊技機の遊技の継続許可と遊技停止を決定する遊技継続決定部とを備える
遊技機。
【手続補正２】
【補正対象書類名】明細書
【補正対象項目名】全文
【補正方法】変更
【補正の内容】
【発明の詳細な説明】
【技術分野】
【０００１】
本発明は、遊技機に関する。
【背景技術】
【０００２】
メダルを用いた遊技機は、例えばスロットマシンが良く知られており、当該マシンでは、メダル投入を受けて遊技が開始される。遊技開始に際しては、実際にメダルが投入された事の検出のほか、投入されたメダルの真偽判定も要請されている。そして、こうした要請に応えるべく、種々の提案がなされている（例えば、特許文献１）。
【先行技術文献】
【特許文献】
【０００３】
【特許文献１】特開２００５−２６１７７８号公報
【０００４】
【０００５】
【０００６】
しかしながら、上記の特許文献１では、例えば、自らが光を発して受光部に受光信号を出力させる発光性の異物（発光性異物）や、透光性・非透光性を切り替え可能な異物（液晶パネル異物）を誤ってメダルと誤判定してしまう危惧がある。
【発明の概要】
【発明が解決しようとする課題】
【０００７】
本発明は、メダルを用いた遊技機におけるメダル検出に際しての上記問題点を解決するためになされ、異物検出の信頼性の向上を図ることをその目的とする。
【課題を解決するための手段】
【０００８】
この目的を達成するために請求項１記載の遊技機は、メダルを用いて遊技するものであって、投入を受けたメダルを導くメダル経路と、該メダル経路に沿って配置され、該メダル経路における検出対象物の有無を、前記メダル経路の異なる位置で検出する少なくとも三つ以上の検出器と、該三つ以上の前記検出器のうち、少なくとも二つの検出器を前記検出対象物の検出に有効な検出器として所定のタイミングで設定する検出器設定部と、前記有効とされた検出器の検出状況に基づいて、前記検出対象物が真正のメダルであるかを検出する検出部と、該検出部の検出結果に応じて、前記遊技機の遊技の継続許可と遊技停止を決定する遊技継続決定部とを備える。
【０００９】
【００１０】
【００１１】
【００１２】
【００１３】
【００１４】
【発明の効果】
【００１５】
本発明の遊技機によれば、異物検出の信頼性を高めることができる。
【図面の簡単な説明】
【００１６】
【図１】スロットマシン１００の概略構成を表す斜視図である。
【図２】スロットマシン１００の内部構造の概略を表す斜視図である。
【図３】メダル識別機構２００の概略構成を示す説明図である。
【図４】メダル検出部２１０の外観を概略的に示す説明図である。
【図５】メダル検出部２１０を破断して示す説明図である。
【図６】発光部・受光部を有する三対の光学系の様子を模式的に示した説明図である。
【図７】スロットマシン１００の電気的な構成の概略を示すブロック図である。
【図８】有効光学系の組み合わせ設定処理の内容を示すフローチャートである。
【図９】メダルＭや異物の検出処理の内容を示すフローチャートである。
【図１０】発光異物検出の様子を模式的に示す説明図である。
【図１１】変形例における光学系の構成を概略的に示す説明図である。
【発明を実施するための形態】
【００１７】
以下、本発明の実施の形態について、実施例に基づき説明する。本実施例では、メダル検出が不可欠な遊技機の一例であるスロットマシン１００について説明する。図１はスロットマシン１００の概略構成を表す斜視図、図２はスロットマシン１００の内部構造の概略を表す斜視図である。
【００１８】
図示するように、スロットマシン１００は、中空の箱状をなす本体１０２に対して前面扉１０３を開閉自在に備え、正面視略矩形状とされている。本体１０２は、スロットマシン１００の骨格をなす部材であり、スロット遊技に必要な種々の機器を収納するが、本発明の要旨とは直接関係しないので、概略的な詳細に止めることとする。
【００１９】
図２に示すように、本体１０２は、その内部上段に、各種の図柄等が表示され三つの回胴１１１を回転可能に備え、内部下段には、ホッパ装置１１２や電源ボックス１１３を備える。ホッパ装置１１２は、メダルを貯留する補助タンク１１２ａ内のメダルを前面扉１０３の側のメダル払出口１１４へ払い出す。電源ボックス１１３は、スロットマシン１００の遊技を制御する制御装置１２０を始めとする種々の機器に電源を供給する。
【００２０】
前面扉１０３は、その前面に、それぞれの回胴１１１を臨ませる窓１０３ａを備える他、遊技者に操作されるボタン群やライン表示灯、メダル投入口１０４、メダル払出口１１４からのメダルを受け取るメダル受皿１１５等を有する。また、前面扉１０３は、その背面側に、既述した制御装置１２０の他、扉ロック用のキーシリンダ１１８や、メダル識別機構２００、メダル補給経路１１６、メダル排出経路１１７等を有する。メダル識別機構２００は、メダル投入口１０４から投入されたメダルをメダル補給経路１１６とメダル排出経路１１７に振り分ける機能も果たす。つまり、メダル識別機構２００は、使用できるメダルと否であるメダルとをメダル直径に応じて選別する周知の振分機構を有し、メダル投入口１０４から投入されたメダルがスロットマシン１００に不適合のメダルであった場合には、このメダル識別機構２００にて選別され、その下方に位置するメダル排出経路１１７へ排出される。
【００２１】
一方、メダル投入口１０４から投入されたメダルがスロットマシン１００に適合するメダルであった場合には、このメダル識別機構２００にて選別されたメダルは、メダル補給経路１１６へと排出される。このメダル補給経路１１６は、前面扉１０３から奥方（本体１０２の背面側）にむかって延出されており、前面扉１０３が閉状態となると、補助タンク１１２ａの上方にその先端部が位置するように構成されている。これにより、本スロットマシン１００に適合するメダルは、メダル識別機構２００とメダル補給経路１１６とにより導かれて、補助タンク１１２ａに補給され当該タンクにて貯留される。
【００２２】
また、メダル識別機構２００は、メダル投入口１０４から投入されたメダルの真偽判別や計数に必要なセンサ信号を取得し、当該信号を制御装置１２０に送信する。制御装置１２０は、メダル識別機構２００からのセンサ信号に基づいてメダルの真偽判別や計数を行う。こうしたセンサ信号収得については、メダル識別機構２００の構成と共に後述する。
【００２３】
ここで、スロットマシン１００による遊技の様子について簡単に説明する。遊技者が前面扉１０３のメダル投入口１０４にメダルを投入すると、当該メダルは、メダル投入口１０４からメダル識別機構２００にメダルを導く後述のメダル経路を通過し、メダル識別機構２００に達する。メダル識別機構２００は、メダル経路を通過するメダルが既述した適正のものであれば、メダルをホッパ装置１１２に振り分けて送り込み、適正でなければ、メダルをメダル排出経路１１７を経て外部に排出する。この振り分けと共に、メダル識別機構２００は、後述するようなセンサ信号を制御装置１２０に出力するので、制御装置１２０にてメダル真偽が判定され、真正のメダルであれば、遊技が開始できる状態となる。真正なメダルでなければ、制御装置１２０は、その旨を前面扉１０３の表示灯等で報知する。
【００２４】
遊技開始ができる状態となれば、遊技者は、前面扉１０３のスタートレバー１０５を操作する。そうすると、制御装置１２０は、回胴１１１をそれぞれ回転させるので、遊技者は、回胴１１１に対応したストップボタン１０６を押圧する。その押圧を受けて、制御装置１２０は回胴１１１をそれぞれ停止させる。そして、停止した三つの回胴１１１の縦横斜めの図柄の一致状況に基づいて景品メダルをメダル受皿１１５に排出する。
【００２５】
次に、メダル識別機構２００について説明する。図３はメダル識別機構２００の概略構成を示す説明図である。図示するように、メダル識別機構２００は、投入を受けたメダルＭを導くメダル経路２０２を有する。このメダル経路２０２は、メダルが１列で通過するよう形成されており、前面扉１０３のメダル投入口１０４からメダル補給経路１１６（図２参照）を経てメダルＭを受け取り、下流に通過させる。メダル経路２０２は、装置上方から図において装置右方に湾曲した軌道を有する主経路２０３と、装置上方から真っ直ぐ下方に延びる軌道の排出経路２０４とを分岐して備える。主経路２０３は、上記の湾曲軌道に沿ってメダルＭを通過させ、当該メダルを既述した図２のメダル補給経路１１６に送り出す。排出経路２０４は、主経路２０３の経路分岐箇所に設置された通路切替片２０５の駆動による経路切替により、メダルＭをメダル排出経路１１７に送り出す。通路切替片２０５は、図示しないソレノイドによりメダル経路２０２の経路内に突出し、これにより経路を切り替える。なお、ソレノイド駆動を伴うこうした経路切替は、直径に基づく既述したメダル振り分けの結果に応じて行われる他、メダル詰まり時の遊技者による返却スイッチ操作によっても行われる。また、上記した各メダル経路は、メダル設置箇所が凸条とされており、メダルＭは凸条の頂上に接しつつ転がるように搬送される。
【００２６】
メダル識別機構２００は、主経路２０３の経路途中に、メダル検出部２１０を有する。図４はメダル検出部２１０の外観を概略的に示す説明図、図５はメダル検出部２１０を破断して示す説明図である。これら図面に示すように、メダル検出部２１０はボディ２１２を備え、メダル識別機構２００の筐体にネジ止め固定される。メダル検出部２１０は、主経路２０３を通過するメダルＭの手前側（図３の紙面での手前側）にボディ２１２から突出した光路形成体２１４を備え、当該形成体基部に、発光ダイオードからなる３個の発光部２１６ａ〜２１６ｃを有する。
【００２７】
発光部２１６ａ〜２１６ｃのそれぞれから射出された光（射出光）は、各発光部の前方側の小径の貫通孔２１７を光路として進み、光路形成体２１４先端の反射面２１８にて反射する。反射面２１８は、図示するように傾斜して形成されていることから、反射面２１８での反射光は、図中に符号Ａで示す軌跡を光軸として斜めにボディ２１２の側に進む。つまり、メダル検出部２１０は、主経路２０３を通過するメダルＭに対して、メダル表面と斜めに交差する方向から光を射出する。
【００２８】
メダル検出部２１０は、ボディ２１２にフォトセンサからなる受光部２２０ａ〜２２０ｃを備え、これら受光部は上記の発光部に対応して配置されている。反射面２１８が光路形成体２１４の先端側に位置し、受光部２２０ａ〜２２０ｃがボディ２１２の側に位置し、メダルＭは光路形成体２１４と受光部２２０ａ〜２２０ｃとの間に位置するという位置関係から、受光部２２０ａ〜２２０ｃのそれぞれは、主経路２０３を通過するメダルＭに対して斜めに交差する方向から光を受光して、その受光光量に応じた受光信号を出力する。発光部２１６ａ〜２１６ｃと受光部２２０ａ〜２２０ｃのこうした位置関係から、この発光部２１６ａ〜２１６ｃと受光部２２０ａ〜２２０ｃは、主経路２０３を通過するメダルＭに光を射出して検出する光透過型の検出部を構成し、この検出部は、発光部２１６ａ〜２１６ｃから射出されて受光部２２０ａ〜２２０ｃに受光される光の光軸を、メダルＭに対して傾斜させていることになる。
【００２９】
メダル検出部２１０は、上記した発光部２１６ａ〜２１６ｃと反射面２１８および受光部２２０ａ〜２２０ｃを対として光学系を構成し、この光学系をボディ２１２に三対組み込んで備える。図６は発光部・受光部を有する三対の光学系の様子を模式的に示した説明図である。なお、以下の説明に際しては、三対の上記の光学系を区別するため、それぞれの光学系の発光部と受光部とを、第１発光部２１６ａ、第２発光部２１６ｂ、第３発光部２１６ｃ、第１受光部２２０ａ、第２受光部２２０ｂ、第３受光部２２０ｃと呼ぶ。
【００３０】
図６に模式的に示されているように、第１発光部２１６ａと第１受光部２２０ａを有する光学系（第１光学系）と、第２発光部２１６ｂと第２受光部２２０ｂとを有する光学系（第２光学系）と、第３発光部２１６ｃと第３受光部２２０ｃとを有する光学系（第３光学系）とは、所定の間隔、即ち上記の発光部・受光部のメダル検出部２１０への組み込み間隔だけ隔たっている。
【００３１】
本実施例では、三つの光学系のうちの二つ以上の光学系を検出対象物の検出に有効な有効光学系として、メダルＭや発光異物、液晶パネル異物の検出に用いる。この際、有効光学系においては、その光学系に含まれる各発光部での発光を行い、三つの光学系のうちの有効光学系以外の光学系では、発光部での発光を行わないようにした。つまり、受光部２２０ａ〜２２０ｃの出力する三つの受光信号のうち、二つ以上の有効光学系についての受光信号をメダルＭの検出に用いるようにした。こうすることで、後述するように、この有効光学系以外の光学系の受光部からの受光信号を異物検出に利用できる。
【００３２】
本実施例では、第１〜第３の三つの光学系を有することから、設定可能な二つ以上の有効光学系の組み合わせは、第１光学系と第２光学系が有効光学系の第１セットと、第２光学系と第３光学系が有効光学系の第２セットと、第１光学系と第３光学系が有効光学系の第３セットとである。そして、これら組み合わせが後述するように所定のタイミングで設定される。この場合、第１〜第３の総ての光学系を有効光学系に設定する組み合わせ（全光学系セット）も採用できるが、本実施例では、この全光学系セットは採用しなかった。この点については、後述する。なお、有効光学系の組み合わせを増やす場合には、メダル検出部２１０が有する光学系の数を四以上とすればよく、例えば四つの光学系を用いれば、このうち、二つの光学系を有効光学系とした組み合わせが６で、三つの光学系を有効光学系とした組み合わせが４つとなる。
【００３３】
メダルＭが主経路２０３を通過するにつれて、メダルＭは、まず、第１光学系の光軸に掛かり、次いで、第２光学系、第３光学系の順にそれぞれの光軸に掛かる。よって、各光学系にて発光を行う本実施例では、メダルＭの通過により、第１受光部２２０ａ、第２受光部２２０ｂ、第３受光部２２０ｃの順にメダル通過に伴う受光信号が得られる。そして、主経路２０３を通過するメダルＭの経路に沿った光学系の間隔が所定のものであり、主経路２０３におけるメダルＭの通過速度も予め判明していることから、第１〜第３の光学系での受光状況により、主経路２０３におけるメダルＭの通過有無や真偽が判明する。こうした処理については後述する。
【００３４】
ここで、本実施例のスロットマシン１００の電気的な構成について、本発明に関連する構成を中心に説明する。図７はスロットマシン１００の電気的な構成の概略を示すブロック図である。
【００３５】
制御装置１２０は、本装置全般の制御を司る制御部１２１を備える。この制御部１２１は、論理演算を実行するＣＰＵを中心に構成され、遊技プログラム等を記憶したＲＯＭ、データの一時的な記憶を行うＲＡＭ等と協働して、メダル検出、メダル真偽判定、メダル計数、表示機器制御、回胴１１１の回動制御等を行う。制御部１２１は、ＣＰＵの他、メダル数カウンタ等も備え、リセットスイッチ１２２、スタートレバー１０５、第１発光部２１６ａ、第２発光部２１６ｂ、第３発光部２１６ｃ、第１受光部２２０ａ、第２受光部２２０ｂ、第３受光部２２０ｃや、光学系設定スイッチ２２５、各種センサ・スイッチ群１２３、表示機器や回胴、その他の制御対象機器群１２４と接続されて、上記の各発光部の発光制御や各種機器制御を行う。また、制御部１２１は、ＣＰＵやＲＯＭのプログラムと協働して、光学系自動設定部１２５と、検出部１２６と、遊技継続決定部１２７を構成する。
【００３６】
ここで、制御部１２１が行う発光部２１６の発光制御について簡単に説明する。本実施例では、発光部２１６を単純に発光制御するのではなく、各光学系の発光部２１６にパルス状の発光信号を出力して各光学系の発光部２１６からはパルス状に光を射出し、このパルス状の光を主経路２０３を通過するメダルＭに照射する。各光学系の受光部２２０は、パルス状の光を受光し、パルス状に受光信号を出力する。そして、メダルＭの通過に伴うメダルＭによる光の遮光により、受光状態が変わることから、制御部１２１は、メダルＭの通過に伴って受光レベルが推移するパルス状の受光信号を各光学系の受光部２２０から入力する。
【００３７】
光学系自動設定部１２５は、所定のタイミング、例えば、スロットマシン１００への電源投入タイミング、所定時間ごとの周期タイミングで、二つ以上の有効光学系の設定、即ち上記した第１〜第３のセットうちのいずれかの有効光学系の組み合わせを設定する。この周期タイミングとしては、１０時、１１時等の定時タイミングとすることができる他、１５分ごとのタイミングや、遊技者が一回の遊技に通常要する時間（約２〜３分）よりも短い時間ごとのタイミング（例えば、１分ごと、３０秒ごとのタイミング）、遊技状況が大当たりに推移したタイミングを採用できる。これに対し、光学系設定スイッチ２２５は、ホールの係員が手動にて二つ以上の有効光学系の設定をおこなうためのものであり、制御部１２１は、このスイッチ操作をタイミングとして、上記した第１〜第３のセットうちのいずれかの有効光学系の組み合わせを設定する。
【００３８】
検出部１２６は、設定された有効光学系の受光部２２０からの受光信号の出力状況や、有効光学系の発光部２１６に出力したパルス信号と受光部２２０からのパルス状の受光信号の同期の状況等に基づいてメダルＭの真偽判定を行う。遊技継続決定部１２７は、この真偽判定の結果に応じて、スロットマシン１００の遊技の継続許可と遊技停止を決定する。具体的には、メダルＭが真正なメダルであると判定されると、その後のスロットマシン１００の遊技の継続を許可するので、遊技者はスタートレバー１０５やストップボタン１０６の操作を伴う遊技を行うことができる。その一方、検出対象物がメダルＭを擬制した発光異物や液晶パネル異物であるとすれば、遊技を停止するよう、各種機器を制御する。例えば、スタートレバー１０５やストップボタン１０６の操作を無効として遊戯できないようにしたり、種々の表示装置やスピーカー等にて、真正ではないメダルＭが検出されたと報知する。
【００３９】
次に、本実施例のスロットマシン１００の制御装置１２０（詳しくは制御部１２１）が行う処理について、真性のメダル検出、メダルを擬した異物検出の様子や、発光部２１６での発光の様子、受光部２２０での受光の様子を併記しつつ、説明する。図８は有効光学系の組み合わせ設定処理の内容を示すフローチャート、図９はメダルＭや異物の検出処理の内容を示すフローチャートである。
【００４０】
図８に示す設定処理は所定時間ごとに繰り返し実行され、制御部１２１は、まず、設定のタイミングであるか否かを判定する（ステップＳ１００）。つまり、制御部１２１は、上記したように光学系自動設定部１２５にて、今回のこの設定処理において、上記した所定時間ごとの周期タイミングであるとすれば、上記した第１〜第３のセットうちのいずれかの有効光学系の組み合わせを設定（再設定）する（ステップＳ１１０）。一方、上記のタイミングでなければ、何の処理を行うことなく本ルーチンを終了する。
【００４１】
上記した有効光学系の組み合わせ設定の際は、第１〜第３の組み合わせを無作為に、例えば乱数発生装置により発生させた乱数に応じて第１〜第３の組み合わせを選択する手法がある。或いは、第１〜第３の組み合わせを所定の規則に従って切替設定する手法を取ることもできる。
【００４２】
図８の設定処理はスロットマシン１００の稼働中のものであり、スロットマシン１００の電源投入タイミングでは、制御部１２１の光学系自動設定部１２５により、ステップＳ１１０と同様にして、有効光学系の組み合わせが自動設定される。また、ホール係員による光学系設定スイッチ２２５の操作タイミングでは、制御部１２１は、当該スイッチ操作を受けて、ステップＳ１１０と同様にして、有効光学系の組み合わせを設定する。
【００４３】
図９に示す検出処理にあっても所定時間ごとに繰り返し実行され、制御部１２１は、第１〜第３の各光学系の受光部２２０ａ〜２２０ｃからの受光信号を入力、監視する（ステップＳ２００）。次いで、この監視結果から、有効光学系以外の光学系の受光部からの受光信号の有無を判定し（ステップＳ２１０）、有効光学系以外の光学系の受光部からの受光信号が有れば、発光異物を検出したとしてステップＳ２１５に移行し、遊技の停止処理と異物検出報知を行う。遊技の停止処理としては、スタートレバー１０５やストップボタン１０６の操作を無効として遊戯できないようにすること等であり、異物検出報知としては、種々の表示装置やスピーカー等にて、真正ではないメダルＭが検出されたと音声や表示で報知する。
【００４４】
こうした異物検出について、例を挙げ説明する。今、例えば第１セットの組み合わせで第１光学系と第２光学系が有効光学系であるとされ、第３光学系が有効光学系以外の光学系であるとする。この場合は、有効光学系の第１光学系と第２光学系では第１発光部２１６ａと第２発光部２１６ｂが発光して、それぞれの光学系において、第１受光部２２０ａと第２受光部２２０ｂにて受光される。有効光学系以外の第３光学系では、第３発光部２１６ｃは発光しないので、対応する第３受光部２２０ｃは受光信号を発しない、或いは最小レベル（＝ゼロレベル）の受光信号を発する。
【００４５】
図１０は発光異物検出の様子を模式的に示す説明図である。発光異物は、本実施例の光学系が透過型であるので、発光部２１６からの射出光を遮るため、一面を非透光性の部材で構成し、他面、即ち受光部２２０の側の面で発光する。図１０（ａ）に示すように、発光異物が、図中に示す発光箇所ＤＰを一つしか持たない場合は、この発光異物は、発光箇所ＤＰからの発光により、第１〜第３の総ての光学系の受光部２２０ａ〜２２０ｃに光を受光させる。そうすると、有効光学系以外の第３光学系においても、その第３受光部２２０ｃにて受光がなされるが、真正のメダルＭが主経路２０３を第１光学系の側から第３光学系に向けて通過する際には、有効光学系以外の第３光学系では第３発光部２１６ｃは発光していないので第３受光部２２０ｃにて受光されることはない。第２セットや第３セットでの有効光学系の組み合わせについても同様である。つまり、総ての光学系を有効光学系とした組み合わせの全光学系セットを有効光学系の組み合わせとして採用しないことで、図１０（ａ）に示すような発光異物を即座に検出できる。なお、この総ての光学系を有効光学系とした組み合わせの全光学系セットを、上記の第１〜第３セットと同様に、有効光学系の組み合わせの一つとして設定することもできる。この場合は、ステップＳ２１０を省略し、後述のステップＳ２２０やステップＳ２３０にて、発光異物検出を行うようにすればよい。
【００４６】
また、発光異物が、図１０（ｂ）に示すように、仮に各光学系に対応させて三つの発光箇所ＤＰ１〜ＤＰ３を備えて各発光箇所での発光をメダル通過を擬制するよう制御している場合は、この発光異物が発光箇所ＤＰ３で発光すれば、単一の発光箇所ＤＰしか持たない図１０（ａ）の発光異物と同様に第３光学系の第３受光部２２０ｃの受光により、ステップＳ２１０で否定判定され、ステップＳ２１５にて異物検出・報知がなされる。この発光異物が発光箇所ＤＰ１と発光箇所ＤＰ２を発光制御している場合は、後述する。
【００４７】
一方、ステップＳ２１０で有効光学系以外の光学系の受光部からの受光信号が無いと判定すると、現在の有効光学系の設定組み合わせ（例えば、第１セット）における各有効光学系でのメダルＭ通過に伴った受光信号の入力があったかを判定する（ステップＳ２２０）。この判定は次のようにしてなされる。
【００４８】
真正のメダルＭが主経路２０３を通過する場合には、有効光学系のうちの上流側の光学系、第１セットの有効光学系の組み合わせであれば、第１光学系、第２光学系の順に、メダルＭはそれぞれの光学系の光軸に掛かる。よって、有効光学系にて発光を行う本実施例では、第１セットの有効光学系の組み合わせであれば、制御部１２１は、メダルＭの通過により、第１受光部２２０ａ、第２受光部２２０ｂの順にこれら受光部から、メダル通過に伴う受光信号を入力する。
【００４９】
ところで、御装置１２０は、既述したように有効光学系の発光部（第１セットの有効光学系では第１光学系、第２光学系の第１発光部２１６ａ、第２発光部２１６ｂ）を所定周期に従ってパルス状に発光制御するので、各光学系の受光部は、メダル通過がない場合には、発光部のパルスに応じてパルス状の受光信号（ＯＮ信号）を周期的に出力する。その一方、メダルＭが投入されると、メダル通過に伴って第１光学系の第１発光部２１６ａの光が遮られ、次いで第２光学系の第２発光部２１６ｂの光が遮られる。第１光学系と第２光学系との隔たりがメダル径より大きければ、第１光学系の第１受光部２２０ａで第１発光部２１６ａの各パルス状発光の光を受光しない期間が続いた後に、第１発光部２１６ａでは受光（パルス状のＯＮ信号出力）して第２光学系の第２受光部２２０ｂでは第２発光部２１６ｂの各パルス状発光の光を受光しない期間が続き、最後に第２発光部２１６ｂで受光（パルス状のＯＮ信号出力）することになる。
【００５０】
その一方、経路の短縮等のために第１光学系と第２光学系との隔たりがメダル径より小さくなることは多々ある。こうした場合には、メダルＭの通過に伴って第１光学系、第２光学系の順で発光部からのパルス状の光が遮られるものの、両光学系で同時に光が遮られた後、第１光学系、第２光学系の順に再度、発光部からの光が受光部で受光される。よって、各光学系での受光部でのパルス状の受光信号の出力は、メダル通過に伴ってまず最初に第１光学系での第１受光部２２０ａでの未受光（ＯＦＦ信号）の期間があり、次いで、両光学系での未受光（ＯＦＦ信号）の期間、第１光学系での第１受光部２２０ａでは受光（パルス状のＯＮ信号出力）で第２光学系での第２受光部２２０ｂでは未受光（ＯＦＦ信号）の期間、両光学系で受光（パルス状のＯＮ信号出力）の期間が連続することになる。
【００５１】
上記した有効光学系でのメダルＭ通過に伴う受光部２２０の受光状況（パルス状の受光信号出力状況）は、上記の第１、第２の光学系の間隔が所定のものであり、主経路２０３におけるメダルＭの通過速度も予め判明していることから、有効光学系の組み合わせによって定まる。制御部１２１は、ステップＳ２００で監視した有効光学系についての受光信号の入力・監視に基づいて、設定済み組み合わせの有効光学系の受光部２２０からの上記の受光状況が、真正のメダルＭが主経路２０３を通過した場合のものであるかを判定する。
【００５２】
このステップＳ２２０では、真正のメダルＭの投入時には肯定判定され、後述のステップＳ２３０に移行する。ところが、図１０に示した発光異物では、次のようになる。なお、単一の発光箇所ＤＰしか有しない発光異物は、ステップＳ２１０で異物として検出されるため、以下の説明は、複数の発光箇所を有する発光異物について説明する。
【００５３】
ステップＳ２２０は、その前のステップＳ２１０での肯定判定後のものであるため、例えば、第１セットの有効光学系の組み合わせであれば第３光学系の第３受光部２２０ｃの受光が無かったこと、つまり、発光異物は、発光箇所ＤＰ１と発光箇所ＤＰ２を発光制御していることになる。
【００５４】
今、発光異物が発光箇所ＤＰ１と発光箇所ＤＰ２を同時に発光させているとする。そうすると、第１光学系の第１受光部２２０ａと第２光学系の第２受光部２２０ｂからの受光状況は、真正のメダルＭが主経路２０３を通過した場合のものと明らかに相違する。よって、ステップＳ２２０では発光異物検出だとして否定判定され、ステップＳ２１５にて遊技停止と異物検出報知がなされる。
【００５５】
発光異物が発光箇所ＤＰ１と発光箇所ＤＰ２をメダル通過を擬制して発光制御している場合、この発光制御による第１光学系の第１受光部２２０ａと第２光学系の第２受光部２２０ｂからの受光状況が真正のメダルＭの通過に伴う受光状況と一致していないと、ステップＳ２２０では発光異物検出だとして否定判定され、ステップＳ２１５にて遊技停止と異物検出報知がなされる。発光異物における発光箇所ＤＰ１と発光箇所ＤＰ２の発光制御により上記の両受光状況が一致していれば、ステップＳ２２０では肯定判定されるが、この発光異物検出については後述する。
【００５６】
ステップＳ２３０では、設定された有効光学系の受光部２２０からの受光信号の出力状況と、有効光学系の発光部２１６に出力したパルス信号と受光部２２０からのパルス状の受光信号の同期の状況が、メダルＭの通過に伴うものであるか否かを判定する。つまり、既述したように、有効光学系の発光部２１６は、パルス状の発光信号に基づきパルス状に光を射出し、受光部２２０は、当該光学系における光軸に検出対象物が掛かっていなければ、上記の発光信号に同期したパルス状の受光信号を出力し、検出対象物が光軸に掛かることでその受光レベルが最小レベルに推移した受光信号を出力する。
【００５７】
つまり、真正のメダルＭが主経路２０３を通過する場合、メダルＭは、発光部２１６からの射出光が反射面２１８で反射して受光部２２０に到る光軸に掛かる。メダルＭは通常金属製であるために発光部２１６からの射出光（反射面２１８での反射光）を遮る。これにより、受光部２２０では、それまで受光可能であった光を受光しなくなるので、制御装置１２０は、受光なしに対応する受光信号（最小レベル信号＝ゼロレベル信号）を受けることを意味する。メダルＭが主経路２０３を更に通過し光軸から脱すると、受光部２２０は、発光部２１６からの射出光（反射面２１８での反射光）を直接受光し、その受光光量に応じた受光信号を制御装置１２０に出力する。このように、受光信号は、主経路２０３におけるメダルＭの通過により、受光信号が最小レベルから推移（増大推移）する。なお、こうした受光信号レベルの推移は、発光がパルス状であることから、その各パルスの光を受光したパルス状の受光信号のそれぞれで発現する。
【００５８】
制御部１２１は、こうしたメダル通過に伴う受光光量の推移に基づく受光信号（センサ出力）を、有効光学系、例えば第１セットであれば、第１光学系の第１受光部２２０ａと、第２光学系の第２受光部２２０ｂとから入力する。そして、制御部１２１は、こうした信号入力を、現状の有効光学系である第１光学系と第２光学系から順次受けることで、メダルＭの通過を検知してメダル計数を行うと共に、発光信号と受光信号の同期状態およびその受光信号レベル推移が真正のメダルＭのセンサ通過に適ったものであれば、ステップＳ２３０で肯定判定して、既述したように遊技継続を許可し（ステップＳ２４０）、本ルーチンを終了する。
【００５９】
図１０（ｂ）に示す発光異物が発光箇所ＤＰ１と発光箇所ＤＰ２をメダルＭの通過に伴うタイミングでこの発光制御している場合であれば、この発光箇所ＤＰ１と発光箇所ＤＰ２のそれぞれが、真正のメダルＭの通過に伴う有効光学系での発光信号と受光信号との同期状態を再現するよう、且つ、真正のメダルＭの通過に伴う受光信号の信号レベル推移と一致していないと、ステップＳ２３０では発光異物検出として否定判定され、ステップＳ２１５にて遊技停止と異物検出報知がなされる。発光異物における発光箇所ＤＰ１と発光箇所ＤＰ２の発光制御状況が真正のメダルＭの通過に伴う発光信号と受光信号の同期状態と、真正のメダルＭの通過に伴う受光信号の信号レベル推移と一致していれば、ステップＳ２３０では肯定判定されるが、この場合の発光異物検出については後述する。
【００６０】
以上説明したように、上記構成を有する本実施例のスロットマシン１００では、三つの光学系のうちの二つの光学系をメダルＭの検出に用いる有効光学系とし、その組み合わせを所定のタイミングで切替設定する（図８参照）。その上で、設定された有効光学系での受光部２２０の受光信号の出力状態や発光信号と受光信号の同期状況（ステップＳ２１０〜２３０）に応じて、メダルＭの検出並びに発光異物の検出を行い、その結果に応じて遊技継続の許可、遊技停止・異物検出報知を行う。よって、次の利点がある。
【００６１】
まず、図１０（ａ）に示す単一の発光箇所ＤＰを有する発光異物については、有効光学系以外の光学系における受光部２２０の受光信号により、簡便に異物検出が行われる。図１０（ｂ）に示す複数箇所の発光箇所ＤＰ１〜ＤＰ３を有する発光異物については、有効光学系以外の光学系に対応する発光箇所ＤＰ３での発光および当該光学系での受光部２２０の受光信号により、簡便に異物検出が行われる。そして、図１０（ｂ）に示す複数箇所の発光箇所ＤＰ１〜ＤＰ３を有する発光異物でメダルＭの通過を擬制する場合、発光箇所ＤＰ１〜ＤＰ３の発光状況は、メダル検出部２１０が有する光学系での発光部２１６のパルス状の発光と、発光信号と受光信号の同期、受光部２２０での受光信号レベルのそれぞれがメダル検出部２１０の発光部２１６のパルス状発光を模して、外部で調整済みである。そして、こうして調整された発光箇所ＤＰ１〜ＤＰ３の発光状況が、メダル検出部２１０における二つの有効光学系の発光部２１６と一致していれば、複数箇所の発光箇所ＤＰ１〜ＤＰ３を有する発光異物は、主経路２０３のメダル通過を擬制することができる。このことは、発光異物でありながら、ステップＳ２２０やステップＳ２３０で肯定判定されたことに相当する。
【００６２】
しかしながら、本実施例では、既述したように、有効光学系の組み合わせは、所定タイミングでの再設定により、その都度変化するので、このように都度変化する有効光学系の組み合わせに対応させて、その組み合わせの有効光学系の受光部２２０に受光信号を出力させるよう、発光異物の発光箇所ＤＰ１〜ＤＰ３の発光状況を調整することは困難である。よって、真正のメダルＭが主経路２０３を通過する際の二つ以上の有効光学系での受光部２２０での受光信号の出力状態と、発光異物がメダルＭに代わって投入された場合の二つ以上の有効光学系での受光部２２０での受光信号の出力状態とはほとんど一致することが無くなり、ステップＳ２２０やステップＳ２３０では否定判定される。仮に、一旦は有効光学系の組み合わせに対応して発光箇所ＤＰ１〜ＤＰ３の発光状況をメダルＭの通過に伴うものと一致したとしても、有効光学系の組み合わせの再設定により、この一致状況は続くことはなく、その後の遊技期間において、ステップＳ２２０やステップＳ２３０で否定判定される。このため、本実施例のスロットマシン１００によれば、異物検出の信頼性をより一層高めることができ、異物検出の検出結果に応じた遊技機の遊技の継続許可と遊技停止との決定についても信頼性を高めることができる。
【００６３】
そして、本実施例では、有効光学系の設定を、スロットマシン１００への電源投入タイミングとか、定時タイミングとかの有る特定の時間タイミングで行う他、光学系設定スイッチ２２５の操作タイミング、１５分ごとのタイミング、遊技者が一回の遊技に要する時間（約２〜３分）よりも短い時間ごとのタイミング、遊技状況が大当たりに推移したタイミングでも、実行する。よって、いわゆる抜き打ち的な有効光学系設定が可能となるので、発光異物の使用が疑われる都度に有効光学系の設定を変えることができ、異物検出の更なる信頼性向上を図ることができる。
【００６４】
また、本実施例では、有効光学系の組み合わせの再設定に加え、その設定された有効光学系における発光信号と受光信号の同期、受光信号レベルの状況についても、これらをメダルＭの検出に用いるので、信号の同期・信号レベルの一致までが得られるよう、発光箇所ＤＰ１〜ＤＰ３を発光制御することは、さらに困難である。よって、この点からも、異物検出の信頼性をより一層高めることができる。
【００６５】
しかも、有効光学系の発光部２１６にパルス状の発光信号を出力して発光部からパルス状の光の射出を行う場合、図６に模式的に示したように、各光学系の発光部２１６に出力する発光信号に、パルス振幅に差を持たせるようにすることもできる。具体的には、第１光学系から第３光学系の順にパルス振幅を小さくする。こうすれば、各光学系ごとに異なる光量の射出光とできるので、光学系（有効光学系）ごとの受光部２２０での受光信号レベルも相違する。また、発光異物でメダルＭの通過を擬制するには、発光箇所ＤＰ１〜ＤＰ３を発光箇所ごとに異なる光量で発光制御する必要があるが、こうした制御はより困難であるため、異物検出の信頼性はさらに高まる。
【００６６】
更には、上記したように光学系ごとにパスル振幅に差を持たせるに当たり、光学系ごとのパスル振幅にあっても、有効光学系の設定ごとに設定するようにすることもできる。例えば、あるタイミングで第１光学系が有効光学系の一つとして設定している場合には、その発光信号のパスル振幅を小さく設定し、他のタイミングで第１光学系が有効光学系の一つとして設定した場合には、その発光信号のパスル振幅を大きく設定する。こうすれば、有効光学系の設定に併せて発光状態（発光量）をも設定できることから、こうした設定変更に適合した発光箇所の発光制御はより一層困難となり、異物検出の信頼性はより一層高まる。
【００６７】
透光性・非透光性を切り替えて非透光性部位を移動させる液晶パネル異物であっても、非透光性部位の移動状況を、所定タイミングで組み合わせが変化する有効光学系の組み合わせに応じて実行することは困難であることから、発光異物と同様に、液晶パネル異物を高い信頼性で検出できることは勿論である。
【００６８】
次に、変形例について説明する。図１１は変形例における光学系の構成を概略的に示す説明図である。図示するように、この変形例は、光学系ごとに射出する光の色を変えた点と、光学系ごとに当該光学系が発する色の光の受光部と他の色の受光部を有する点に特徴がある。
【００６９】
図示するように、この変形例のスロットマシン１００では、第１光学系は、第１発光部２１６ａの光路に赤色フィルタＲｆにより赤色の光を発する。同様に、第２光学系では、緑色フィルタＧｆにより緑色の色を発し、第３光学系では、青色フィルタＢｆにより青色の光を発する。そして、第１光学系は、赤色のフィルタ２２０Ｒｆと赤色光の受光用の受光部２２０ａＲと、緑色のフィルタ２２０Ｇｆと緑色光の受光用の受光部２２０ａＧとを備え、第２光学系は、緑色のフィルタ２２０Ｇｆと緑色光の受光用の受光部２２０ｂＧと、青色のフィルタ２２０Ｂｆと青色光の受光用の受光部２２０ｂＢとを備え、第３光学系は、青色のフィルタ２２０Ｂｆと青色光の受光用の受光部２２０ｃＢと、赤色のフィルタ２２０Ｒｆと赤色光の受光用の受光部２２０ｃＲとを備える。
【００７０】
そして、この変形例にあっては、第１〜第３の光学系のうちから、二つの有効光学系の組み合わせを上記の実施例と同様にして所定のタイミングで設定するので、有効光学系の組み合わせの設定の都度に、その設定された有効光学系の射出光の色（有効色）の組み合わせも変わることになる。また、有効光学系の射出した有効色以外の他の色の光が射出されれば、例えば、第１光学系において白色や緑色の光が発せられれば、フィルタ２２０Ｇｆにより、第１光学系の受光部２２０ａＧで受光されるが、第１光学系が有効光学系であれば、有効色である赤色の光しか射出しないので、通常、受光部２２０ａＧでの受光は起きない。
【００７１】
上記構成を有する変形例での発光異物検出の様子について説明する。多くの場合、発光異物は、図１０（ａ）（ｂ）に示すような発光箇所の数に拘わらず、それぞれの発光箇所から、単一の色の光（例えば、白色光）を発する。従って、今、第１光学系と第２光学系が有効光学系とされている場合、発光異物がこれら光学系に掛かっていると、第１光学系では、発光異物の発した白色光が、フィルタ２２０Ｒｆとフィルタ２２０Ｇｆにより、赤色の光の受光用の受光部２２０ａＲに加え、緑色の光の受光用の受光部２２０ａＧでも受光される。第２光学系でも同様である。よって、真正のメダルＭによるそれぞれの有効光学系における受光部２２０ａＲと受光部２２０ａＧの受光状態と、発光異物によるこれら受光部での受光状態とは、顕著に相違する。しかも、二つ以上の有効光学系の組み合わせは一律ではなく、その設定の度に変わることから、発光異物における二つ以上の発光箇所ＤＰ１〜ＤＰ３の組み合わせと、二つ以上の有効光学系の組み合わせとが一致することはほとんど無い。この結果、上記構成の変形例にあっても、高い信頼性で発光異物の検出が可能となる。
【００７２】
以上、本発明の実施例について説明したが、本発明は、上記した実施の形態に限られるものではなく、その要旨を逸脱しない範囲において種々の態様にて実施することが可能である。例えば、上記の実施例と変形例では、発光部２１６の射出光ＤＬを反射面２１８にて反射させ、その反射光を射出光ＤＬとしてメダルＭや発光異物、液晶パネル異物と言った検出対象物に照射する透過型の構成としたが、発光部２１６自体を反射面２１８の設置箇所に配設し、発光部２１６の射出光ＤＬを直接検出対象物に照射する透過型とすることもできる。これに限らず、発光部２１６からの出射光をメダルＭや発光異物、液晶パネル異物に照射してこれら表面で反射させ、その反射光を受光部２２０で受光する反射型の構成とすることもできる。
【００７３】
さらに、各光学系での発光部２１６の発光をパルス状とするに当たり、図６にて模式的に示したようにパルス信号の性状としてパルス振幅を光学系ごとに変えるようにできるほか、例えばパルス周期やパルス幅を光学系ごとに変えるようにすることもできる。こうしても、光学系ごとの受光信号の出力状態、本実施例に即して説明すれば、設定された有効光学系ごとの受光信号の出力状態に、発光異物の発光箇所の発光制御や液晶パネル異物における非透光性部位の移動制御を一致させることは困難であり、異物検出の信頼性向上に有益である。
【００７４】
また、図１１に示した変形例では、各光学系ごとの発光部２１６からの出射光をフィルタにて特定の色の光となるようにしたが、ＲＧＢの発光源を光学系ごとの発光部に備え付け、各発光源の出力を調整することで、発光部からの光の色を設定するようにもできる。そして、組み合わされた有効光学系での光の色を、有効光学系の設定と共に変更設定するようにすることもできる。こうすれば、発光異物がそれぞれの発光箇所ＤＰ１〜ＤＰ３での光の色を変更できる構成を取っても、有効光学系の組み合わせ設定と光の色の設定とに適合するよう、各発光箇所の光の色を変更することは困難であり、高い信頼性で発光異物検出を行うことができる。
【００７５】
また、メダルＭを用いて遊戯するスロットマシンを例に挙げ説明したが、本発明は、スロットマシン以外の遊技機であってメダルＭを用いる他の遊技機に加え、メダル検出装置やメダル経路を通過するメダル検出方法としても適用できる。この他、磁石を内蔵した磁気式のセンサ等を利用することもできる。
【００７６】
更に、メダル検出部２１０における光学系を四つ以上の光学系とすることもでき、この場合には、有効光学系を二つの光学系の組み合わせ、三つの光学系の組み合わせのいずれにも設定できる。よって、こうした場合には、有効光学系の個数についても上記したタイミングで設定するようにでき、こうすれば、有効光学系の個数に応じた異物の発光制御等がより困難となり、異物検出の信頼性は高まる。
【符号の説明】
【００７７】
１００…スロットマシン
１０２…本体
１０３…前面扉
１０３ａ…窓
１０４…メダル投入口
１０５…スタートレバー
１０６…ストップボタン
１１１…回胴
１１２…ホッパ装置
１１２ａ…補助タンク
１１３…電源ボックス
１１４…メダル払出口
１１５…メダル受皿
１１６…メダル補給経路
１１７…メダル排出経路
１１８…キーシリンダ
１２０…制御装置
１２１…制御部
１２２…リセットスイッチ
１２３…各種センサ・スイッチ群
１２４…制御対象機器群
１２５…光学系自動設定部
１２６…検出部
１２７…遊技継続決定部
２００…メダル識別機構
２０２…メダル経路
２０３…主経路
２０４…排出経路
２０５…通路切替片
２１０…メダル検出部
２１２…ボディ
２１４…光路形成体
２１６…発光部
２１６ａ…第１発光部
２１６ｂ…第２発光部
２１６ｃ…第３発光部
２１７…貫通孔
２１８…反射面
２２０…受光部
２２０Ｂｆ…フィルタ
２２０Ｇｆ…フィルタ
２２０Ｒｆ…フィルタ
２２０ａ…第１受光部
２２０ａＧ…受光部
２２０ａＲ…受光部
２２０ｂ…第２受光部
２２０ｂＢ…受光部
２２０ｂＧ…受光部
２２０ｃ…第３受光部
２２０ｃＢ…受光部
２２０ｃＲ…受光部
２２５…光学系設定スイッチ
Ｒｆ…赤色フィルタ
Ｇｆ…緑色フィルタ
Ｂｆ…青色フィルタ
ＤＬ…射出光
ＤＰ…発光箇所
ＤＰ１〜ＤＰ３…発光箇所
Ｍ…メダル